(57)【要約】【課題】  消費物を供給する場合、消費物の供給速度は、需要側の機器及び供給側の機器の仕様、規格などによって異なる。また、消費物の要求量は、最寄りの充電ステーションの有無、電力供給者の多少といった、需要側の機器の周辺の状況によって変動する可能性もある。【解決手段】  消費物を使用する機器の位置に基づいて決定された、消費物の要求量に関する情報を取得する要求量取得部と、消費物を供給可能な１以上の供給候補のそれぞれの（ｉ）消費物の供給可能量に関する情報及び（ｉｉ）消費物の供給速度に関する情報に基づいて、要求量の消費物を供給できる供給候補の供給速度に関する情報を取得する供給速度取得部と、要求量の消費物を供給できる供給候補のそれぞれについて、要求量、及び、供給速度に関する情報に基づいて、供給時間を決定する供給時間決定部とを備える。【選択図】図１
2018018454.tif 000002
【特許請求の範囲】
【請求項１】
消費物を使用する機器の位置に基づいて決定された、前記消費物の要求量に関する情報を取得する要求量取得部と、
前記消費物を供給可能な１以上の供給候補のそれぞれの（ｉ）前記消費物の供給可能量に関する情報及び（ｉｉ）前記消費物の供給速度に関する情報に基づいて、前記要求量の前記消費物を供給できる供給候補の前記供給速度に関する情報を取得する供給速度取得部と、
前記要求量の前記消費物を供給できる供給候補のそれぞれについて、前記要求量取得部が取得した前記要求量に関する情報、及び、前記供給速度取得部が取得した前記供給速度に関する情報に基づいて、当該供給候補が前記消費物の提供を開始してから、前記要求量の前記消費物が提供されるまでの期間である供給時間を決定する供給時間決定部と、
を備え、
前記機器は、移動体であり、
前記消費物は、前記移動体を駆動するためのエネルギー又はエネルギー源である、
情報処理システム。
【請求項２】
前記供給時間決定部が決定した前記供給時間に基づいて、前記消費物の供給者又は供給装置を決定する供給者決定部をさらに備える、
請求項１に記載の情報処理システム。
【請求項３】
前記要求量の前記消費物を供給できる供給候補のそれぞれについて、各供給候補を識別する候補識別情報と、前記供給時間決定部が決定した前記供給時間とが対応付けられた選択画面を生成する選択画面生成部と、
前記選択画面生成部が生成した前記選択画面を、前記機器又は前記機器のユーザの通信端末の出力部に出力させる出力制御部と、
前記ユーザが前記供給者又は前記供給装置として選択した供給候補の候補識別情報を、前記機器又は前記機器のユーザの通信端末から取得するユーザ指示取得部と、
をさらに備え、
前記供給者決定部は、前記ユーザ指示取得部が取得した前記候補識別情報により識別される供給候補を、前記供給者又は前記供給装置として決定する、
請求項２に記載の情報処理システム。
【請求項４】
前記要求量の前記消費物を供給できる供給候補のそれぞれについて、（ｉ）取引が成立してから前記消費物の提供が開始されるまでの期間、及び、（ｉｉ）前記供給時間決定部が決定した前記供給時間に基づいて、前記取引が成立してから前記要求量の前記消費物が提供されるまでの期間である完了時間を決定する完了時間決定部と、
前記完了時間決定部が決定した前記完了時間に基づいて、前記消費物の供給者又は供給装置を決定する供給者決定部と、
をさらに備える、
請求項１に記載の情報処理システム。
【請求項５】
前記要求量の前記消費物を供給できる供給候補のそれぞれについて、各供給候補を識別する候補識別情報と、前記完了時間決定部が決定した前記完了時間とが対応付けられた選択画面を生成する選択画面生成部と、
前記選択画面生成部が生成した前記選択画面を、前記機器又は前記機器のユーザの通信端末の出力部に出力させる出力制御部と、
前記ユーザが前記供給者又は前記供給装置として選択した供給候補の候補識別情報を、前記機器又は前記機器のユーザの通信端末から取得するユーザ指示取得部と、
をさらに備え、
前記供給者決定部は、前記ユーザ指示取得部が取得した前記候補識別情報により識別される供給候補を、前記供給者又は前記供給装置として決定する、
請求項４に記載の情報処理システム。
【請求項６】
消費物を使用する機器の位置に基づいて決定された、前記消費物の要求量に関する情報を取得する要求量取得部と、
前記消費物を供給可能な１以上の供給候補のそれぞれの（ｉ）前記消費物の供給可能量に関する情報及び（ｉｉ）前記消費物の供給速度に関する情報に基づいて、前記要求量の前記消費物を供給できる供給候補の前記供給速度に関する情報を取得する供給速度取得部と、
前記要求量の前記消費物を供給できる供給候補のそれぞれについて、前記要求量取得部が取得した前記要求量に関する情報、及び、前記供給速度取得部が取得した前記供給速度に関する情報に基づいて、前記要求量の前記消費物の提供が完了する時刻である完了時刻を決定する完了時刻決定部と、
を備え、
前記機器は、移動体であり、
前記消費物は、前記移動体を駆動するためのエネルギー又はエネルギー源である、
情報処理システム。
【請求項７】
前記完了時刻決定部が決定した前記完了時刻に基づいて、前記消費物の供給者又は供給装置を決定する供給者決定部をさらに備える、
請求項６に記載の情報処理システム。
【請求項８】
前記要求量の前記消費物を供給できる供給候補のそれぞれについて、各供給候補を識別する候補識別情報と、前記完了時刻決定部が決定した前記完了時刻とが対応付けられた選択画面を生成する選択画面生成部と、
前記選択画面生成部が生成した前記選択画面を、前記機器又は前記機器のユーザの通信端末の出力部に出力させる出力制御部と、
前記ユーザが前記供給者又は前記供給装置として選択した供給候補の候補識別情報を、前記機器又は前記機器のユーザの通信端末から取得するユーザ指示取得部と、
をさらに備え、
前記供給者決定部は、前記ユーザ指示取得部が取得した前記候補識別情報により識別される供給候補を、前記供給者又は前記供給装置として決定する、
請求項７に記載の情報処理システム。
【請求項９】
前記消費物の残量に関する情報を取得する残量取得部と、
前記残量取得部が取得した前記残量が予め定められた値よりも小さいことを検出する検出部と、
をさらに備え、
前記検出部が、前記残量が予め定められた値よりも小さいことを検出した場合、前記供給者決定部は、前記要求量の前記消費物を供給できる供給候補のうち、前記消費物の提供が開始されるまでの期間が予め定められた期間よりも短い供給候補の中から、前記供給者又は前記供給装置を決定する、
請求項２、３、４、５、７又は８の何れか一項に記載の情報処理システム。
【請求項１０】
前記機器の周囲の気温に関する情報を取得する気温取得部をさらに備え、
前記予め定められた値は、前記気温取得部が取得した前記気温に基づいて設定される、
請求項９に記載の情報処理システム。
【請求項１１】
前記機器の位置に基づいて、前記要求量を決定する要求量決定部をさらに備える、
請求項１から請求項１０までの何れか一項に記載の情報処理システム。
【請求項１２】
特定の時間における前記機器の位置に関する機器位置情報を取得する機器位置取得部と、
前記特定の時間における前記消費物の残量に関する情報を取得する残量取得部と、
をさらに備え、
前記要求量決定部は、
前記機器位置取得部が取得した前記機器位置情報、及び、前記残量取得部が取得した前記残量に関する情報に基づいて、前記要求量を決定する、
請求項１１に記載の情報処理システム。
【請求項１３】
前記機器は、電気自動車であり、
前記消費物は、電力である、
請求項１から請求項１２までの何れか一項に記載の情報処理システム。
【請求項１４】
前記１以上の供給候補のそれぞれの位置に関する供給位置情報に基づいて、少なくとも一部の供給候補のそれぞれの位置を示す１以上のアイコンが地図上に表示された地図画面を生成する地図画面生成部をさらに備える、
請求項１から請求項１３までの何れか一項に記載の情報処理システム。
【請求項１５】
前記画面生成部は、前記１以上のアイコンの形状、模様、色彩及び大きさの少なくとも１つを、対応する前記少なくとも一部の供給候補の供給速度に基づいて決定する、
請求項１４に記載の情報処理システム。
【請求項１６】
消費物を供給可能な１以上の供給候補のそれぞれの（ｉ）位置に関する供給位置情報及び（ｉｉ）前記消費物の供給速度に関する情報に基づいて、少なくとも一部の供給候補のそれぞれの位置を示す１以上のアイコンが地図上に表示された地図画面を生成する地図画面生成部と、
前記少なくとも一部の供給候補の前記供給速度に関する情報を取得する供給速度取得部と、
を備え、
前記画面生成部は、前記１以上のアイコンの形状、模様、色彩及び大きさの少なくとも１つを、対応する前記少なくとも一部の供給候補の前記供給速度に関する情報に基づいて決定する、
情報処理システム。
【請求項１７】
前記画面生成部は、前記消費物の（ｉ）供給可能時間、（ｉｉ）供給可能エリア、（ｉｉｉ）供給可能量、（ｉｖ）規格又は品質、及び、（ｖ）価格の少なくとも１つを示す情報がさらに表示された前記地図画面を生成する、
請求項１４から請求項１６までの何れか一項に記載の情報処理システム。
【請求項１８】
消費物を使用する機器の位置に基づいて決定された、前記消費物の要求量に関する情報を取得する要求量取得部と、
前記消費物を供給可能な１以上の供給候補のそれぞれの（ｉ）前記消費物の供給可能量に関する情報及び（ｉｉ）前記消費物の供給速度に関する情報に基づいて、前記要求量の前記消費物を供給できる供給候補の前記供給速度に関する情報を取得する供給速度取得部と、
前記要求量の前記消費物を供給できる供給候補のそれぞれについて、前記要求量取得部が取得した前記要求量、及び、前記供給速度取得部が取得した前記供給速度に関する情報に基づいて、当該供給候補が前記消費物の提供を開始してから、前記要求量の前記消費物が提供されるまでの期間である供給時間を決定する供給時間決定部と、
を備える、情報処理システム。
【請求項１９】
コンピュータを、請求項１から請求項１８までの何れか一項に記載の情報処理システムとして機能させるためのプログラム。
【請求項２０】
消費物を使用する機器の位置に基づいて決定された、前記消費物の要求量に関する情報を取得する要求量取得段階と、
前記消費物を供給可能な１以上の供給候補のそれぞれの（ｉ）前記消費物の供給可能量に関する情報及び（ｉｉ）前記消費物の供給速度に関する情報に基づいて、前記要求量の前記消費物を供給できる供給候補の前記供給速度に関する情報を取得する供給速度取得段階と、
前記要求量の前記消費物を供給できる供給候補のそれぞれについて、前記要求量取得段階において取得された前記要求量、及び、前記供給速度取得段階において取得された前記供給速度に関する情報に基づいて、当該供給候補が前記消費物の提供を開始してから、前記要求量の前記消費物が提供されるまでの期間である供給時間を決定する供給時間決定段階と、
を備え、
前記機器は、移動体であり、
前記消費物は、前記移動体を駆動するためのエネルギー又はエネルギー源である、
情報処理方法。
【請求項２１】
消費物を使用する機器の位置に基づいて決定された、前記消費物の要求量に関する情報を取得する要求量取得段階と、
前記消費物を供給可能な１以上の供給候補のそれぞれの（ｉ）前記消費物の供給可能量に関する情報及び（ｉｉ）前記消費物の供給速度に関する情報に基づいて、前記要求量の前記消費物を供給できる供給候補の前記供給速度に関する情報を取得する供給速度取得段階と、
前記要求量の前記消費物を供給できる供給候補のそれぞれについて、前記要求量取得段階において取得された前記要求量、及び、前記供給速度取得段階において取得された前記供給速度に関する情報に基づいて、前記要求量の前記消費物の提供が完了する時刻である完了時刻を決定する完了時刻決定段階と、
を備え、
前記機器は、移動体であり、
前記消費物は、前記移動体を駆動するためのエネルギー又はエネルギー源である、
情報処理方法。
【請求項２２】
消費物を使用する機器の位置に基づいて決定された、前記消費物の要求量に関する情報を取得する要求量取得段階と、
前記消費物を供給可能な１以上の供給候補のそれぞれの（ｉ）前記消費物の供給可能量に関する情報及び（ｉｉ）前記消費物の供給速度に関する情報に基づいて、前記要求量の前記消費物を供給できる供給候補の前記供給速度に関する情報を取得する供給速度取得段階と、
前記要求量の前記消費物を供給できる供給候補のそれぞれについて、前記要求量取得段階において取得された前記要求量、及び、前記供給速度取得段階において取得された前記供給速度に関する情報に基づいて、当該供給候補が前記消費物の提供を開始してから、前記要求量の前記消費物が提供されるまでの期間である供給時間を決定する供給時間決定段階と、
を備える、情報処理方法。
【請求項２３】
消費物を供給可能な１以上の供給候補のそれぞれの（ｉ）位置に関する供給位置情報及び（ｉｉ）前記消費物の供給速度に関する情報に基づいて、少なくとも一部の供給候補のそれぞれの位置を示す１以上のアイコンが地図上に表示された地図画面を生成する地図画面生成段階と、
前記少なくとも一部の供給候補の前記供給速度に関する情報を取得する供給速度取得段階と、
を備え、
前記画面生成段階は、前記１以上のアイコンの形状、模様、色彩及び大きさの少なくとも１つを、対応する前記少なくとも一部の供給候補の前記供給速度に関する情報に基づいて決定する段階を有する、
情報処理方法。
【発明の詳細な説明】
【技術分野】
【０００１】
本発明は、情報処理システム、情報処理方法及びプログラムに関する。
【背景技術】
【０００２】
電気自動車の充電を支援するシステムが知られている（例えば、特許文献１〜３を参照されたい）。
［先行技術文献］
［特許文献］
［特許文献１］  特開２０１０−０３５３３３号公報
［特許文献２］  特開２０１２−２４４７８５号公報
［特許文献３］  特開２０１２−２１７２２４号公報
【発明の概要】
【発明が解決しようとする課題】
【０００３】
供給側の機器から需要側の機器に消費物を供給する場合、需要側の機器及び供給側の機器の仕様、状態などによって、消費物の供給速度が異なる場合がある。また、消費物の供給施設の位置、周辺に存在する消費物の供給者の多少などといった、需要側の機器の周辺環境によって、消費物の要求量が変動する可能性もある。
【課題を解決するための手段】
【０００４】
本発明の第１の態様においては、情報処理システムが提供される。上記の情報処理システムは、消費物を使用する機器の位置に基づいて決定された、消費物の要求量に関する情報を取得する要求量取得部を備えてよい。上記の情報処理システムは、消費物を供給可能な１以上の供給候補のそれぞれの（ｉ）消費物の供給可能量に関する情報及び（ｉｉ）消費物の供給速度に関する情報に基づいて、要求量の消費物を供給できる供給候補の供給速度に関する情報を取得する供給速度取得部を備えてよい。上記の情報処理システムは、要求量の消費物を供給できる供給候補のそれぞれについて、要求量取得部が取得した要求量、及び、供給速度取得部が取得した供給速度に関する情報に基づいて、当該供給候補が消費物の提供を開始してから、要求量の消費物が提供されるまでの期間である供給時間を決定する供給時間決定部を備えてよい。上記の情報処理システムにおいて、機器は、移動体である。上記の情報処理システムにおいて、消費物は、移動体を駆動するためのエネルギー又はエネルギー源である。
【０００５】
上記の情報処理システムは、供給時間決定部が決定した供給時間に基づいて、消費物の供給者又は供給装置を決定する供給者決定部をさらに備えてよい。上記の情報処理システムは、要求量の消費物を供給できる供給候補のそれぞれについて、各供給候補を識別する候補識別情報と、供給時間決定部が決定した供給時間とが対応付けられた選択画面を生成する選択画面生成部をさらに備えてよい。上記の情報処理システムは、選択画面生成部が生成した選択画面を、機器又は機器のユーザの通信端末の出力部に出力させる出力制御部をさらに備えてよい。上記の情報処理システムは、ユーザが供給者又は供給装置として選択した供給候補の候補識別情報を、機器又は機器のユーザの通信端末から取得するユーザ指示取得部をさらに備えてよい。上記の情報処理システムにおいて、供給者決定部は、ユーザ指示取得部が取得した候補識別情報により識別される供給候補を、供給者又は供給装置として決定してよい。
【０００６】
上記の情報処理システムは、要求量の消費物を供給できる供給候補のそれぞれについて、（ｉ）取引が成立してから消費物の提供が開始されるまでの期間、及び、（ｉｉ）供給時間決定部が決定した供給時間に基づいて、取引が成立してから要求量の消費物が提供されるまでの期間である完了時間を決定する完了時間決定部をさらに備えてよい。上記の情報処理システムは、完了時間決定部が決定した完了時間に基づいて、消費物の供給者又は供給装置を決定する供給者決定部をさらに備えてよい。上記の情報処理システムは、要求量の消費物を供給できる供給候補のそれぞれについて、各供給候補を識別する候補識別情報と、完了時間決定部が決定した完了時間とが対応付けられた選択画面を生成する選択画面生成部をさらに備えてよい。上記の情報処理システムは、選択画面生成部が生成した選択画面を、機器又は機器のユーザの通信端末の出力部に出力させる出力制御部をさらに備えてよい。上記の情報処理システムは、ユーザが供給者又は供給装置として選択した供給候補の候補識別情報を、機器又は機器のユーザの通信端末から取得するユーザ指示取得部をさらに備えてよい。上記の情報処理システムにおいて、供給者決定部は、ユーザ指示取得部が取得した候補識別情報により識別される供給候補を、供給者又は供給装置として決定してよい。
【０００７】
本発明の第２の態様においては、情報処理システムが提供される。上記の情報処理システムは、消費物を使用する機器の位置に基づいて決定された、消費物の要求量に関する情報を取得する要求量取得部を備える。上記の情報処理システムは、消費物を供給可能な１以上の供給候補のそれぞれの（ｉ）前記消費物の供給可能量に関する情報及び（ｉｉ）前記消費物の供給速度に関する情報に基づいて、要求量の消費物を供給できる供給候補の供給速度に関する情報を取得する供給速度取得部を備える。上記の情報処理システムは、要求量の消費物を供給できる供給候補のそれぞれについて、要求量取得部が取得した要求量、及び、供給速度取得部が取得した供給速度に関する情報に基づいて、要求量の消費物の提供が完了する時刻である完了時刻を決定する完了時刻決定部を備える。上記の情報処理システムにおいて、機器は、移動体である。上記の情報処理システムにおいて、消費物は、移動体を駆動するためのエネルギー又はエネルギー源である。
【０００８】
上記の情報処理システムは、完了時刻決定部が決定した完了時刻に基づいて、消費物の供給者又は供給装置を決定する供給者決定部をさらに備えてよい。上記の情報処理システムは、要求量の消費物を供給できる供給候補のそれぞれについて、各供給候補を識別する候補識別情報と、完了時刻決定部が決定した完了時刻とが対応付けられた選択画面を生成する選択画面生成部をさらに備えてよい。上記の情報処理システムは、選択画面生成部が生成した選択画面を、機器又は機器のユーザの通信端末の出力部に出力させる出力制御部をさらに備えてよい。上記の情報処理システムは、ユーザが供給者又は供給装置として選択した供給候補の候補識別情報を、機器又は機器のユーザの通信端末から取得するユーザ指示取得部をさらに備えてよい。上記の情報処理システムにおいて、供給者決定部は、ユーザ指示取得部が取得した候補識別情報により識別される供給候補を、供給者又は供給装置として決定してよい。
【０００９】
上記の第１の態様及び第２の態様において、上記の情報処理システムは、消費物の残量に関する情報を取得する残量取得部をさらに備えてよい。上記の情報処理システムは、残量取得部が取得した残量が予め定められた値よりも小さいことを検出する検出部をさらに備えてよい。上記の情報処理システムにおいて、検出部が、残量が予め定められた値よりも小さいことを検出した場合、供給者決定部は、要求量の消費物を供給できる供給候補のうち、消費物の提供が開始されるまでの期間が予め定められた期間よりも短い供給候補の中から、供給者又は供給装置を決定してよい。上記の情報処理システムは、機器の周囲の気温に関する情報を取得する気温取得部をさらに備えてよい。上記の情報処理システムにおいて、予め定められた値は、気温取得部が取得した気温に基づいて設定されてよい。
【００１０】
上記の第１の態様及び第２の態様において、上記の情報処理システムは、機器の位置に基づいて、要求量を決定する要求量決定部をさらに備えてよい。上記の情報処理システムは、特定の時間における機器の位置に関する機器位置情報を取得する機器位置取得部をさらに備えてよい。上記の情報処理システムは、特定の時間における消費物の残量に関する情報を取得する残量取得部をさらに備えてよい。上記の情報処理システムにおいて、要求量決定部は、機器位置取得部が取得した機器位置情報、及び、残量取得部が取得した残量に関する情報に基づいて、要求量を決定してよい。
【００１１】
上記の第１の態様及び第２の態様において、上記の情報処理システムにおいて、機器は、電気自動車であってよい。上記の情報処理システムにおいて、消費物は、電力であってよい。上記の情報処理システムは、１以上の供給候補のそれぞれの位置に関する供給位置情報に基づいて、少なくとも一部の供給候補のそれぞれの位置を示す１以上のアイコンが地図上に表示された地図画面を生成する地図画面生成部をさらに備えてよい。上記の情報処理システムにおいて、画面生成部は、１以上のアイコンの形状、模様、色彩及び大きさの少なくとも１つを、対応する少なくとも一部の供給候補の供給速度に基づいて決定してよい。
【００１２】
本発明の第３の態様においては、情報処理システムが提供される。上記の情報処理システムは、消費物を供給可能な１以上の供給候補のそれぞれの（ｉ）位置に関する供給位置情報及び（ｉｉ）消費物の供給速度に関する情報に基づいて、少なくとも一部の供給候補のそれぞれの位置を示す１以上のアイコンが地図上に表示された地図画面を生成する地図画面生成部を備える。上記の情報処理システムは、少なくとも一部の供給候補の供給速度に関する情報を取得する供給速度取得部を備える。上記の情報処理システムにおいて画面生成部は、１以上のアイコンの形状、模様、色彩及び大きさの少なくとも１つを、対応する少なくとも一部の供給候補の供給速度に関する情報に基づいて決定する。上記の情報処理システムにおいて、画面生成部は、消費物の（ｉ）供給可能時間、（ｉｉ）供給可能エリア、（ｉｉｉ）供給可能量、（ｉｖ）規格又は品質、及び、（ｖ）価格の少なくとも１つを示す情報がさらに表示された地図画面を生成してよい。
【００１３】
本発明の第４の態様においては、情報処理システムが提供される。上記の情報処理システムは、消費物を使用する機器の位置に基づいて決定された、消費物の要求量に関する情報を取得する要求量取得部を備える。上記の情報処理システムは、消費物を供給可能な１以上の供給候補のそれぞれの（ｉ）消費物の供給可能量に関する情報及び（ｉｉ）消費物の供給速度に関する情報に基づいて、要求量の消費物を供給できる供給候補の供給速度に関する情報を取得する供給速度取得部を備える。上記の情報処理システムは、要求量の消費物を供給できる供給候補のそれぞれについて、要求量取得部が取得した要求量、及び、供給速度取得部が取得した供給速度に関する情報に基づいて、当該供給候補が消費物の提供を開始してから、要求量の消費物が提供されるまでの期間である供給時間を決定する供給時間決定部を備える。
【００１４】
本発明の第５の態様においては、コンピュータを、上記の第１の態様から第４の態様までの何れかに記載された情報処理システムとして機能させるためのプログラムが提供される。上記のプログラムを格納する非一時的コンピュータ可読媒体が提供されてもよい。
【００１５】
本発明の第６の態様においては、情報処理方法が提供される。上記の情報処理方法は、消費物を使用する機器の位置に基づいて決定された、消費物の要求量に関する情報を取得する要求量取得段階を備える。上記の情報処理方法は、消費物を供給可能な１以上の供給候補のそれぞれの（ｉ）消費物の供給可能量に関する情報及び（ｉｉ）消費物の供給速度に関する情報に基づいて、要求量の消費物を供給できる供給候補の供給速度に関する情報を取得する供給速度取得段階を備える。上記の情報処理方法は、要求量の消費物を供給できる供給候補のそれぞれについて、要求量取得段階において取得された要求量、及び、供給速度取得段階において取得された供給速度に関する情報に基づいて、当該供給候補が消費物の提供を開始してから、要求量の消費物が提供されるまでの期間である供給時間を決定する供給時間決定段階を備える。上記の情報処理方法において、機器は、移動体である。上記の情報処理方法において、消費物は、移動体を駆動するためのエネルギー又はエネルギー源である。
【００１６】
本発明の第７の態様においては、情報処理方法が提供される。上記の情報処理方法は、消費物を使用する機器の位置に基づいて決定された、消費物の要求量に関する情報を取得する要求量取得段階を備える。上記の情報処理方法は、消費物を供給可能な１以上の供給候補のそれぞれの（ｉ）消費物の供給可能量に関する情報及び（ｉｉ）消費物の供給速度に関する情報に基づいて、要求量の消費物を供給できる供給候補の供給速度に関する情報を取得する供給速度取得段階を備える。上記の情報処理方法は、要求量の消費物を供給できる供給候補のそれぞれについて、要求量取得段階において取得された要求量、及び、供給速度取得段階において取得された供給速度に関する情報に基づいて、要求量の消費物の提供が完了する時刻である完了時刻を決定する完了時刻決定段階を備える。上記の情報処理方法において、機器は、移動体である。上記の情報処理方法において、消費物は、移動体を駆動するためのエネルギー又はエネルギー源である。
【００１７】
本発明の第８の態様においては、情報処理方法が提供される。上記の情報処理方法は、消費物を使用する機器の位置に基づいて決定された、消費物の要求量に関する情報を取得する要求量取得段階を備える。上記の情報処理方法は、消費物を供給可能な１以上の供給候補のそれぞれの（ｉ）消費物の供給可能量に関する情報及び（ｉｉ）消費物の供給速度に関する情報に基づいて、要求量の消費物を供給できる供給候補の供給速度に関する情報を取得する供給速度取得段階を備える。上記の情報処理方法は、要求量の消費物を供給できる供給候補のそれぞれについて、要求量取得段階において取得された要求量、及び、供給速度取得段階において取得された供給速度に関する情報に基づいて、当該供給候補が消費物の提供を開始してから、要求量の消費物が提供されるまでの期間である供給時間を決定する供給時間決定段階を備える。
【００１８】
本発明の第９の態様においては、情報処理方法が提供される。上記の情報処理方法は、消費物を供給可能な１以上の供給候補のそれぞれの（ｉ）位置に関する供給位置情報及び（ｉｉ）消費物の供給速度に関する情報に基づいて、少なくとも一部の供給候補のそれぞれの位置を示す１以上のアイコンが地図上に表示された地図画面を生成する地図画面生成段階を備える。上記の情報処理方法は、少なくとも一部の供給候補の供給速度に関する情報を取得する供給速度取得段階を備える。上記の情報処理方法において、画面生成段階は、１以上のアイコンの形状、模様、色彩及び大きさの少なくとも１つを、対応する少なくとも一部の供給候補の供給速度に関する情報に基づいて決定する段階を有する。
【００１９】
なお、上記の発明の概要は、本発明の必要な特徴の全てを列挙したものではない。また、これらの特徴群のサブコンビネーションもまた、発明となりうる。
【図面の簡単な説明】
【００２０】
【図１】情報処理装置４０のシステム構成の一例を概略的に示す。
【図２】情報処理装置６０のシステム構成の一例を概略的に示す。
【図３】情報処理装置７０のシステム構成の一例を概略的に示す。
【図４】取引管理システム１００のシステム構成の一例を概略的に示す。
【図５】取引管理システム１００を利用した経路選択方法の一例を概略的に示す。
【図６】車両２２のシステム構成の一例を概略的に示す。
【図７】通信端末１２０のシステム構成の一例を概略的に示す。
【図８】管理サーバ１１０のシステム構成の一例を概略的に示す。
【図９】取引条件決定部５５０の内部構成の一例を概略的に示す。
【図１０】データテーブル７００の一例を概略的に示す。
【図１１】データテーブル８００の一例を概略的に示す。
【図１２】データテーブル９００の一例を概略的に示す。
【図１３】取引管理システム１００による情報処理の一例を概略的に示す。
【図１４】取引管理システム１００による情報処理の一例を概略的に示す。
【図１５】画面遷移の一例を概略的に示す。
【図１６】画面１３００の一例を概略的に示す。
【図１７】取引管理システム１４００のシステム構成の一例を概略的に示す。
【図１８】取引管理システム１４００による情報処理の一例を概略的に示す。
【図１９】取引管理システム１４００による情報処理の一例を概略的に示す。
【図２０】取引管理システム１４００による情報処理の一例を概略的に示す。
【発明を実施するための形態】
【００２１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００２２】
図１は、情報処理装置４０のシステム構成の一例を概略的に示す。情報処理装置４０は、情報処理システムの一例であってよい。情報処理装置４０は、例えば、消費物３２の需要者と供給者とをマッチングする。本実施形態において、情報処理装置４０は、機器３０に消費物３２を供給する供給者又は供給装置を決定する。
【００２３】
機器３０は、消費物３２を使用する機械、器械又は器具であればよく、その詳細は特に限定されない。機器３０は、内燃機関、バッテリ及び発電装置の少なくとも１つを有してよい。発電装置としては、（ｉ）内燃機関を利用して発電するオルタネータ、（ｉｉ）燃料電池、（ｉｉｉ）太陽光発電装置のような自然力発電システムなどを例示することができる。機器３０は、移動体であってよい。移動体は、例えば、消費物３２を利用して移動する。移動体は、搭載されたコンピュータによる自動運転機能（オートクルーズ、クルーズコントロールなどと称される場合がある。）を有してもよい。
【００２４】
移動体としては、自動車、自動二輪車、船舶、飛行体などを例示することができる。自動車としては、エンジン車、電気自動車、燃料電池車、ハイブリッド車、移動可能な作業機械などを例示することができる。作業機械の移動方式は、自動式であってもよく、手動式であってもよい。作業機械としては、芝刈機、草刈機、耕うん機、トラクタ、運搬機、ポンプ、噴霧器、洗浄機、除雪機などを例示することができる。
【００２５】
自動二輪車としては、（ｉ）バイク、（ｉｉ）三輪バイク、（ｉｉｉ）セグウェイ（登録商標）、動力ユニット付きキックボード（登録商標）、動力ユニット付きスケートボードのような、動力ユニットを有する立ち乗り二輪車などを例示することができる。動力ユニットは、（ｉ）エンジン、原動機などの内燃機関であってもよく、（ｉｉ）蓄電装置又は発電装置と、電動機との組み合わせであってもよい。船舶としては、船、ホバークラフト、水上バイク、潜水艦、潜水艇、水中スクータなどを例示することができる。飛行体としては、飛行機、飛行船又は風船、気球、ヘリコプター、ドローンなどを例示することができる。
【００２６】
消費物３２は、機器３０により使用されるものであればよく、その詳細は特に限定されない。消費物３２は、機器３０の移動に伴って、使用、消耗又は放出されるものであることが好ましい。消費物３２は、有体物に限定されない。消費物３２は、エネルギーであってもよい。エネルギーは、電力又は電気（単に、電力と称する場合がある。）であってもよい。一実施形態において、消費物３２は、機器３０を駆動するためのエネルギー又はエネルギー源であってよい。消費物３２は、機器３０を駆動して移動させるためのエネルギー又はエネルギー源であってよい。
【００２７】
消費物の供給方法としては、補充、交換などを例示することができる。一実施形態において、消費物が電力又は電気である場合、消費物の供給方法は、バッテリの充電であってよい。他の実施形態において、消費物がバッテリそのものである場合、消費物の供給方法は、バッテリの交換であってよい。
【００２８】
［情報処理装置４０のシステム構成］
本実施形態において、情報処理装置４０は、要求量取得部４２と、供給速度取得部４６と、供給時間決定部５２とを備える。情報処理装置４０は、要求量算出部４４、格納部４８及び供給者決定部５４の少なくとも１つをさらに備えてよい。格納部４８は、データテーブル５０を格納してよい。本実施形態において、データテーブル５０は、各供給候補の識別情報と、各供給候補が供給することができる消費物３２の量又は個数（供給可能量と称する場合がある。）に関する情報と、各供給候補の消費物３２の供給速度に関する情報とを対応付けて格納する。供給速度に関する情報としては、（ｉ）供給速度の定格値又は実績値、（ｉｉ）供給装置の製造者、型式、シリアル番号のような供給装置の識別情報などを例示することができる。
【００２９】
本実施形態において、要求量取得部４２は、機器３０における消費物３２の要求量に関する情報を取得する。消費物３２の要求量は、機器３０の位置に基づいて決定されたものであってよい。本実施形態において、要求量取得部４２は、消費物３２の要求量に関する情報を、供給速度取得部４６に送信する。また、要求量取得部４２は、消費物３２の要求量に関する情報を、供給時間決定部５２に送信する。
【００３０】
一実施形態において、要求量取得部４２は、機器３０から、消費物３２の要求量を示す情報を受信することで、消費物３２の要求量を取得する。他の実施形態において、要求量取得部４２は、要求量算出部４４から、要求量算出部４４により算出された、消費物３２の要求量を示す情報を受信することで、消費物３２の要求量を取得する。さらに他の実施形態において、要求量取得部４２は、機器３０又はその他の機器（図示されていない。）から、消費物３２の要求量を算出するための情報を受信する。要求量取得部４２は、機器３０から受信した情報に基づいて消費物３２の要求量を算出することで、消費物３２の要求量を取得する。要求量取得部４２は、後述する要求量算出部４４と同様の方法により、消費物３２の要求量を算出してよい。
【００３１】
本実施形態において、要求量算出部４４は、機器３０又はその他の機器（図示されていない。）から、消費物３２の要求量を算出するための情報を受信する。要求量算出部４４は、機器３０などから受信した情報に基づいて、機器３０における消費物３２の要求量を決定する。要求量算出部４４は、機器３０の位置に基づいて、消費物３２の要求量を決定してよい。要求量算出部４４は、消費物３２の要求量を示す情報を、要求量取得部４２に送信する。
【００３２】
例えば、要求量算出部４４は、機器３０又はその他の機器から、機器３０の位置に関する情報を取得する。機器３０の位置に関する情報は、機器３０の現在位置の位置情報であってもよく、供給者又は供給装置との合流エリアの位置情報であってもよい。機器３０の位置に関する情報は、消費物３２の要求量を算出するための情報の一例であってよい。要求量算出部４４は、機器３０の位置に関する情報に基づいて、消費物３２の要求量を決定する。
【００３３】
一実施形態によれば、要求量算出部４４は、記憶装置（図示されていない。）にアクセスして、消費物３２を供給することができる固定式の供給施設の位置情報を取得する。固定式の供給施設としては、ガソリンスタンド、充電ステーションなどを例示することができる。上記の記憶装置は、情報処理装置４０の内部に配されていてもよく、情報処理装置４０の外部に配されていてもよい。要求量算出部４４は、機器３０が、現在位置又は合流エリアから、固定式の供給施設まで移動した場合に消費される消費物３２の量を、消費物３２の要求量として算出する。
【００３４】
要求量算出部４４は、例えば、（ｉ）現在位置又は合流エリアから、固定式の供給施設までの経路情報（経路情報には、高低差に関する情報が含まれてもよい。）と、（ｉｉ）機器３０における、単位距離当たりの消費物３２の消費量（単位距離当たりの消費量は、定格値であってもよく、実績値であってもよい。）とに基づいて、消費物３２の要求量を算出する。より具体的には、最寄りの供給施設までの移動距離を、単位距離当たりの消費量で除することにより、消費物３２の要求量を算出する。要求量算出部４４は、任意の２地点間における、消費物３２の消費量の概算値が格納されたデータテーブルを参照して、消費物３２の要求量を決定してもよい。
【００３５】
要求量算出部４４は、機器３０又はその他の機器から、消費物３２の残量に関する情報をさらに取得してよい。消費物３２の残量に関する情報としては、現在位置における消費物３２の残量、合流エリアにおける消費物３２の予想残量などを例示することができる。要求量算出部４４は、消費物３２の残量に関する情報を考慮して、消費物３２の要求量を決定してもよい。より具体的には、機器３０が最寄りの供給施設まで移動したときに消費される消費物３２の量から、消費物３２の残量を減算することにより、消費物３２の要求量を算出する。消費物３２の残量に関する情報は、消費物３２の要求量を算出するための情報の一例であってよい。
【００３６】
他の実施形態によれば、要求量算出部４４は、機器３０又はその他の機器から、機器３０の移動経路に関する情報を取得する。移動経路に関する情報としては、中継地点又は目的地の位置情報を例示することができる。上記の実施形態と同様の手順により、要求量算出部４４は、機器３０が、現在位置又は合流エリアから中継地点又は目的地まで移動した場合に消費される消費物３２の量を、消費物３２の要求量として算出する。要求量算出部４４は、消費物３２の残量に関する情報を考慮して、消費物３２の要求量を決定してもよい。
【００３７】
消費物３２の要求量を算出するための情報の他の例としては、機器３０の種類に関する情報を例示することができる。機器３０の種類に関する情報としては、（ｉ）機器３０の一般名称若しくは慣用名、又は、機器３０の固有名称に関する情報、（ｉｉ）機器３０の製造者、型式、シリアル番号、各種特性の定格値、各種特性の実績値などに関する情報、（ｉｉｉ）機器３０を組み込んだ製品の製造者、型式、シリアル番号などに関する情報などを例示することができる。この場合、例えば、要求量算出部４４は、型式を示す情報を取得する。これにより、要求量算出部４４は、外部の記憶装置（図示されていない。）にアクセスして、機器３０の型式をキーとして、機器３０の単位距離当たりの消費量を示す情報を取得することができる。
【００３８】
本実施形態において、供給速度取得部４６は、例えば、要求量取得部４２から、消費物３２の要求量を示す情報を受信する。供給速度取得部４６は、要求量の消費物を供給できる供給候補の供給速度に関する情報を取得する。供給速度取得部４６は、例えば、（ｉ）消費物を供給可能な１以上の供給候補のそれぞれの、消費物の供給可能量に関する情報、及び、（ｉｉ）上記１以上の供給候補のそれぞれの、消費物の供給速度に関する情報の少なくとも一方に基づいて、上記の情報を取得する。供給速度取得部４６は、取得された情報を、供給時間決定部５２に送信する。
【００３９】
一実施形態によれば、供給速度取得部４６は、格納部４８にアクセスし、データテーブル５０を参照して、要求量の消費物を供給できる供給候補の供給速度に関する情報を取得する。より具体的には、供給速度取得部４６は、例えば、下記の手順により、要求量の消費物を供給できる供給候補の供給速度に関する情報を取得する。
【００４０】
上述のとおり、データテーブル５０は、消費物を供給可能な１以上の供給候補のそれぞれについて、識別情報と、消費物３２の供給可能量に関する情報と、消費物３２の供給速度に関する情報とを対応付けて格納している。供給速度取得部４６は、まず、データテーブル５０を参照して、１以上の供給候補の中から、「当該供給候補による消費物３２の供給可能量が、機器３０における消費物３２の要求量以上である」という条件に合致する供給候補の識別情報を抽出する。上記の各供給候補による消費物３２の供給可能量は、機器３０との合流時における予想量により代替されてもよい。供給速度取得部４６は、データテーブル５０を参照して、抽出された識別情報に対応付けられた、消費物３２の供給速度に関する情報を取得する。
【００４１】
なお、供給速度取得部４６は、「要求量の消費物を供給できる供給候補」を、消費物３２の供給可能量以外の条件により、さらに絞り込んでもよい。消費物３２の供給可能量以外の条件としては、「当該供給候補の位置が、特定の条件を満たす」という条件であってもよい。特定の条件としては、「当該供給候補の位置と、機器３０の現在位置又は機器３０との合流エリアとの距離が、予め定められた値よりも小さい」、「当該供給候補の位置が、予め定められた時刻よりも前に、機器３０と合流することのできる位置である」、「当該供給候補の位置が、予め定められた時間内に、機器３０と合流することのできる位置である」などの条件を例示することができる。供給候補の位置は、供給候補の現在位置であってもよく、供給候補の将来の特定の時刻における予想位置であってもよい。
【００４２】
本実施形態において、供給時間決定部５２は、例えば、要求量取得部４２から、機器３０における消費物３２の要求量に関する情報を受信する。供給時間決定部５２は、例えば、供給速度取得部４６から、要求量の消費物を供給できる供給候補の供給速度に関する情報を受信する。
【００４３】
本実施形態において、供給時間決定部５２は、要求量の消費物３２を供給できる供給候補のそれぞれについて、要求量取得部４２が取得した要求量に関する情報、及び、供給速度取得部４６が取得した供給速度に関する情報に基づいて、消費物３２の供給時間を決定する。消費物３２の供給時間は、各供給候補が消費物３２の提供を開始してから、要求量の消費物３２が提供されるまでの期間であってよい。供給時間決定部５２は、例えば、機器３０における消費物３２の要求量を、各供給候補による消費物３２の供給速度で除することにより、各供給候補の供給時間を決定する。供給時間決定部５２は、各供給候補の供給時間を示す情報を、供給者決定部５４に送信する。
【００４４】
本実施形態において、供給者決定部５４は、供給時間決定部５２から、各供給候補の供給時間を示す情報を受信する。供給者決定部５４は、供給時間決定部５２が決定した供給時間に基づいて、消費物３２の供給者又は供給装置を決定する。一実施形態によれば、供給者決定部５４は、供給時間が予め定められた条件を満たす供給候補を、供給者又は供給装置として決定する。予め定められた条件としては、「供給時間が最も短い」、「消費物３２の品質が一定の基準を満足する者の中で、供給時間が最も短い」などの条件を例示することができる。他の実施形態によれば、供給者決定部５４は、機器３０のユーザの指示に従って、供給者又は供給装置として決定する。
【００４５】
［情報処理装置４０の各部の具体的な構成］
情報処理装置４０の各部は、ハードウェアにより実現されてもよく、ソフトウエアにより実現されてもよく、ハードウェア及びソフトウエアにより実現されてもよい。情報処理装置４０の各部は、単一のサーバによって実現されてもよく、複数のサーバによって実現されてもよい。
【００４６】
情報処理装置４０に含まれる構成要素の少なくとも一部がソフトウエアにより実現される場合、当該構成要素は、一般的な構成の情報処理装置において、当該構成要素に関する動作を規定したソフトウエア又はプログラムを起動することにより実現されてよい。上記の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備えてよい。情報処理装置４０は、その少なくとも一部が、仮想サーバ上又はクラウドシステム上で実現されてもよい。
【００４７】
上記の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。
【００４８】
図２は、情報処理装置６０のシステム構成の一例を概略的に示す。情報処理装置６０は、供給時間決定部５２の代わりに完了時刻決定部６２を備える点で、情報処理装置４０と相違する。また、情報処理装置６０の供給者決定部５４は、完了時刻決定部６２が決定した完了時刻に基づいて、消費物の供給者又は供給装置を決定する点で、情報処理装置４０の供給者決定部５４と相違する。上記の相違点以外の点に関して、情報処理装置６０は、情報処理装置４０と同様の構成を有してよい。情報処理装置６０は、情報処理システムの一例であってよい。完了時刻決定部６２は、完了時間決定部の一例であってもよい。
【００４９】
本実施形態において、完了時刻決定部６２は、例えば、要求量取得部４２から、機器３０における消費物３２の要求量に関する情報を受信する。完了時刻決定部６２は、例えば、供給速度取得部４６から、要求量の消費物を供給できる供給候補の供給速度に関する情報を受信する。
【００５０】
本実施形態において、完了時刻決定部６２は、要求量の消費物３２を供給できる供給候補のそれぞれについて、要求量取得部４２が取得した要求量に関する情報、及び、供給速度取得部４６が取得した供給速度に関する情報に基づいて、要求量の消費物３２の提供が完了する時刻である完了時刻を決定する。例えば、完了時刻決定部６２は、（ｉ）取引が成立してから消費物３２の提供が開始されるまでの期間、及び、（ｉｉ）各供給候補の供給時間に基づいて、完了時刻を決定する。
【００５１】
一実施形態において、合流時刻が指定されていない場合、完了時刻決定部６２は、供給時間決定部５２と同様の手順により、各供給候補の供給時間を算出する。また、完了時刻決定部６２は、取引が成立してから消費物３２の提供が開始されるまでの期間を決定する。例えば、完了時刻決定部６２は、機器３０の現在位置及び各供給候補の現在位置に基づいて、両者が合流するまでの期間を予測することで、上記の期間を決定する。完了時刻決定部６２は、例えば、現在時刻に、各供給候補の供給時間と、取引が成立してから消費物３２の提供が開始されるまでの期間とを加算することにより、完了時刻を決定する。
【００５２】
一方、他の実施形態において、合流時刻が指定されている場合、完了時刻決定部６２は、供給時間決定部５２と同様の手順により、各供給候補の供給時間を算出する。完了時刻決定部６２は、合流時刻に、各供給候補の供給時間を加算することにより、完了時刻を決定する。
【００５３】
図３は、情報処理装置７０のシステム構成の一例を概略的に示す。情報処理装置７０は、情報処理システムの一例であってよい。情報処理装置７０は、例えば、消費物３２の需要者及び供給者のマッチングに用いられるユーザインタフェース用の画面を生成する。本実施形態において、情報処理装置７０は、消費物３２の供給候補を示すアイコンが地図上に表示された地図画面を生成する。
【００５４】
［情報処理装置７０のシステム構成］
本実施形態において、情報処理装置７０は、供給速度取得部７２と、画面生成部７８とを備える。情報処理装置７０は、格納部７４をさらに備えてよい。格納部７４は、データテーブル７６を格納してよい。本実施形態において、データテーブル７６は、各供給候補の識別情報と、各供給候補の位置に関する情報と、各供給候補の消費物３２の供給速度に関する情報とを対応付けて格納する。各供給候補の位置は、現在位置であってもよく、将来の特定の時刻における予想位置であってもよい。
【００５５】
本実施形態において、供給速度取得部７２は、消費物を供給可能な１以上の供給候補のうち、少なくとも一部の供給候補の供給速度に関する情報を取得する。供給速度取得部７２は、上記の供給候補の位置に関する情報を取得してもよい。供給速度取得部４６は、取得された供給速度に関する情報を、地図画面生成部７８に送信する。供給速度取得部４６は、取得された位置に関する情報を、地図画面生成部７８に送信してもよい。
【００５６】
供給速度取得部７２は、格納部７４にアクセスし、データテーブル７６を参照して、供給候補の供給速度に関する情報、及び、供給候補の位置情報を取得してよい。例えば、供給速度取得部７２は、地図画面に表示される地理的範囲を示す情報を取得する。供給速度取得部７２は、各供給候補の位置に関する情報をキーとしてデータテーブル７６を参照して、地図画面に表示される地理的範囲の内側に存在する１以上の供給候補のうち、少なくとも一部の供給候補の供給速度に関する情報を取得する。このとき、供給速度取得部７２は、少なくとも一部の供給候補の位置に関する情報を取得してもよい。
【００５７】
一実施形態において、供給速度取得部７２は、地図画面に表示される地理的範囲の内側に存在する全ての供給候補について、供給速度に関する情報を取得する。他の実施形態において、供給速度取得部７２は、地図画面に表示される地理的範囲の内側に存在する供給候補のうち、特定の条件を満足する供給候補について、供給速度に関する情報を取得する。特定の条件としては、「供給速度が予め定められた値よりも大きい」、「供給速度が多い順に並べた場合に、予め定められた順位よりも上位に位置する」、「供給装置の種類が予め定められた条件を満足する」などの条件を例示することができる。
【００５８】
本実施形態において、画面生成部７８は、例えば、供給速度取得部７２から、上記の供給候補の供給速度に関する情報を取得する。画面生成部７８は、供給速度取得部７２から、上記の供給候補の位置に関する情報を取得してもよい。画面生成部７８は、１以上の供給候補のそれぞれの（ｉ）位置に関する供給位置情報及び（ｉｉ）消費物３２の供給速度に関する情報に基づいて、少なくとも一部の供給候補のそれぞれの位置を示す１以上のアイコンが地図上に表示された地図画面を生成する。画面生成部７８は、１以上のアイコンの形状、模様、色彩及び大きさの少なくとも１つを、当該アイコンに対応する供給候補の供給速度に関する情報に基づいて決定してよい。
【００５９】
一実施形態において、画面生成部７８は、各供給候補の供給速度の値に応じて、アイコンの形状、模様、色彩及び大きさの少なくとも１つを決定する。他の実施形態において、画面生成部７８は、各供給候補の供給速度の区分に応じて、アイコンの形状、模様、色彩及び大きさの少なくとも１つを決定する。さらに他の実施形態において、画面生成部７８は、各供給候補が有する供給装置の種類に応じて、アイコンの形状、模様、色彩及び大きさの少なくとも１つを決定する。
【００６０】
［情報処理装置７０の各部の具体的な構成］
情報処理装置７０の各部は、ハードウェアにより実現されてもよく、ソフトウエアにより実現されてもよく、ハードウェア及びソフトウエアにより実現されてもよい。情報処理装置７０の各部は、単一のサーバによって実現されてもよく、複数のサーバによって実現されてもよい。
【００６１】
情報処理装置７０に含まれる構成要素の少なくとも一部がソフトウエアにより実現される場合、当該構成要素は、一般的な構成の情報処理装置において、当該構成要素に関する動作を規定したソフトウエア又はプログラムを起動することにより実現されてよい。上記の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備えてよい。情報処理装置７０は、その少なくとも一部が、仮想サーバ上又はクラウドシステム上で実現されてもよい。
【００６２】
上記の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。
【００６３】
図４は、取引管理システム１００のシステム構成の一例を概略的に示す。本実施形態において、取引管理システム１００は、車両２２の消費物の補充又は交換を希望する需要者１２と、当該消費物を供給可能な供給者１４とをマッチングする。また、取引管理システム１００は、上記のマッチングにより消費物の取引が成立した後、当該取引の履行を管理する。
【００６４】
説明を簡単にする目的で、本実施形態においては、消費物が電力であり、消費物を使用する機器が需要者１２の車両２２であり、供給者１４の車両２４を利用して車両２２のバッテリを充電する場合を例として、取引管理システム１００を用いた消費物の取引管理方法について説明する。
【００６５】
より具体的には、本実施形態において、車両２２は電気自動車であり、車両２４の利用形態としては、（ｉ）車両２４に搭載された車載型の発電装置、バッテリ又は充電装置から、車両２２のバッテリに電気を供給する、（ｉｉ）携帯型の発電装置、バッテリ又は充電装置を車両２４に搭載し、当該発電装置、バッテリ又は充電装置から、車両２２のバッテリに電気を供給するなどの形態を例示することができる。
【００６６】
本実施形態において、車両２４は、車両２２に電力を供給することができる１以上の候補（供給候補と称する場合がある。）の中から、例えば、需要者１２により選択される。車両２４は、予め定められた規則に基づいて選択されてもよい。１以上の供給候補は、蓄電装置、充電装置、及び、発電装置の少なくとも１つを含んでよい。１以上の供給候補は、携帯型の蓄電装置、携帯型の充電装置、及び、携帯型の発電装置の少なくとも１つを含んでよい。
【００６７】
１以上の供給候補は、蓄電装置、充電装置、及び、発電装置の３種類のうち、少なくとも２種類を含んでもよい。１以上の供給候補は、発電装置と、蓄電装置及び充電装置の少なくとも一方とを含んでもよい。発電装置は、内燃機関を利用した発電装置を含んでよい。１以上の供給候補は、定格出力又は定格電圧の異なる複数の供給装置を含んでもよい。複数の供給装置は、定格出力又は定格電圧の異なる複数の蓄電装置を含んでよい。複数の供給装置は、定格出力又は定格電圧の異なる複数の充電装置を含んでよい。複数の供給装置は、定格出力又は定格電圧の異なる複数の発電装置を含んでよい。
【００６８】
車両２２は、移動体の一例であってよく、電力は、移動体を駆動するためのエネルギーの一例であってよい。電力は、消費物の一例であってよい。車両２４は、供給装置の一例であってよい。定格出力又は定格電圧は、消費物の規格又は品質の一例であってよい。定格出力又は定格電圧は、供給装置の仕様又は規格の一例であってよい。技術的に矛盾しない範囲において、車両２２は、図１〜図３に関連して説明した機器３０と同様の構成を有してよい。また、電力は、消費物３２と同様の構成を有してもよい。
【００６９】
［取引管理システム１００のシステム構成］
本実施形態において、取引管理システム１００は、管理サーバ１１０と、需要者１２が利用する通信端末１２０と、供給者１４が利用する通信端末１４０とを備える。管理サーバ１１０、通信端末１２０及び通信端末１４０は、通信ネットワーク１０を介して相互に情報を送受する。
【００７０】
取引管理システム１００及び管理サーバ１１０は、情報処理システムの一例であってよい。技術的に矛盾しない範囲において、取引管理システム１００及び管理サーバ１１０又はその各部は、図１〜図３に関連して説明した情報処理装置４０、情報処理装置６０及び情報処理装置７０の少なくとも１つ又はその各部と同様の構成を有してよい。
【００７１】
本実施形態において、通信ネットワーク１０は、管理サーバ１１０と、通信端末１２０及び通信端末１４０との少なくとも一方との間で情報を伝送する。通信ネットワーク１０は、通信端末１２０と通信端末１４０との間で情報を伝送してもよい。通信ネットワーク１０は、有線通信の伝送路であってもよく、無線通信の伝送路であってもよく、無線通信の伝送路及び有線通信の伝送路の組み合わせであってもよい。通信ネットワーク１０は、携帯電話回線網などの移動体通信網を含んでもよく、無線ＭＡＮ、無線ＬＡＮ、Ｂｌｕｅｔｏｏｔｈ（登録商標）、近距離無線通信網などの無線通信網を含んでもよく、無線パケット通信網、インターネット及び専用回線などを含んでもよい。
【００７２】
本実施形態において、管理サーバ１１０は、通信ネットワーク１０を介して、通信端末１２０及び通信端末１４０と情報を送受する。管理サーバ１１０は、通信ネットワーク１０を介して、車両２２又は車両２４と情報を送受してもよい。管理サーバ１１０は、単一のサーバによって実現されてもよく、複数のサーバによって実現されてもよい。
【００７３】
本実施形態において、通信端末１２０は、通信ネットワーク１０を介して、管理サーバ１１０及び通信端末１４０と情報を送受する。通信端末１２０は、無線通信又は有線通信により、車両２２と情報を送受してよい。通信端末１４０は、通信ネットワーク１０を介して、管理サーバ１１０及び通信端末１２０と情報を送受する。通信端末１４０は、無線通信又は有線通信により、車両２４と情報を送受してよい。通信端末１２０又は通信端末１４０としては、パーソナルコンピュータ、携帯端末などを例示することができる。携帯端末としては、携帯電話、スマートフォン、ＰＤＡ、タブレット、ノートブック・コンピュータ又はラップトップ・コンピュータ、ウエアラブル・コンピュータなどを例示することができる。
【００７４】
例えば、情報処理装置に需要者用のプログラムがインストールされることにより、通信端末１２０が実現され、情報処理装置に供給者用のプログラムがインストールされることにより、通信端末１４０が実現される。他の実施形態において、情報処理装置に、需要者用及び供給者用の両方の機能を有するプログラムがインストールされることにより、通信端末１２０及び通信端末１４０が実現される。
【００７５】
［取引管理システム１００の各部の具体的な構成］
取引管理システム１００の各部は、ハードウェアにより実現されてもよく、ソフトウエアにより実現されてもよく、ハードウェア及びソフトウエアにより実現されてもよい。取引管理システム１００の各部は、単一のサーバによって実現されてもよく、複数のサーバによって実現されてもよい。
【００７６】
取引管理システム１００に含まれる構成要素の少なくとも一部がソフトウエアにより実現される場合、当該構成要素は、一般的な構成の情報処理装置において、当該構成要素に関する動作を規定したソフトウエア又はプログラムを起動することにより実現されてよい。上記の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備えてよい。取引管理システム１００は、その少なくとも一部が、仮想サーバ上又はクラウドシステム上で実現されてもよい。
【００７７】
上記の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。
【００７８】
［取引管理システム１００における処理の概要］
本実施形態において、管理サーバ１１０は、需要者１２と、供給者１４又は車両２４とをマッチングする。例えば、管理サーバ１１０には、電力を供給できる１以上の供給候補に関する情報として、１以上の供給者１４又は車両２４に関する情報が格納されている。各供給候補に関する情報は、例えば、１以上の供給者１４のそれぞれが、車両２４又は通信端末１４０を利用して管理サーバ１１０にアクセスし、登録処理を実行することにより、管理サーバ１１０に登録される。管理サーバ１１０は、複数の種類の消費物のそれぞれについて、１以上の供給候補に関する情報を格納していてもよい。
【００７９】
１以上の供給候補に関する情報としては、各供給候補の識別情報、各供給候補の現在位置、各供給候補の将来時刻における予想位置、各供給候補の個人情報、各供給装置の仕様、供給可能な時間、供給可能なエリア、供給可能な電力量、供給可能な電力の規格又は品質、価格、決済方法などを例示することができる。電力の規格又は品質としては、電圧、電圧変動幅、給電速度又は充電効率、アダプタ形状などを例示することができる。供給可能な電力量は、例えば、車両２４の現在のバッテリ残量に基づいて決定される。供給可能な電力量は、車両２４の現在のバッテリ残量及び経路情報に基づいて決定されてもよい。
【００８０】
例えば、予期せぬ渋滞、気温の上昇などにより車両２２のバッテリ残量が低下して、目的地又は最寄りの充電ステーションに到達することが困難になった場合、需要者１２は、例えば通信端末１２０を介して、管理サーバ１１０にアクセスする。そして、需要者１２は、管理サーバ１１０に対して、車両２２に電力を供給することができる候補の抽出を要求する。充電ステーションは、消費物の供給施設の一例であってよい。
【００８１】
通信端末１２０は、要求する電力量（電力要求量と称する場合がある。）に関する情報を、上記の要求（抽出要求と称する場合がある。）と対応付けて、管理サーバ１１０に送信してもよい。一実施形態において、抽出要求は、電力要求量に関する情報を含む。他の実施形態において、通信端末１２０は、抽出要求に対応付けて、電力要求量を算出するための情報を、管理サーバ１１０に送信する。電力要求量に関する情報は、電力要求量を示す情報であってもよく、電力要求量を算出するための情報であってもよい。電力要求量は、管理サーバ１１０により決定されてもよく、通信端末１２０により決定されてもよい。電力要求量は、消費物の要求量の一例であってよい。
【００８２】
電力要求量は、例えば、車両２２の位置に基づいて決定される。車両２２の位置として、需要者１２又は通信端末１２０の位置が使用されてもよい。車両２２の位置は、現在の位置であってもよく、将来の特定の時間における位置であってもよい。将来の特定の時間における位置は、シミュレーションにより算出される位置であってもよく、需要者１２により指定された位置であってもよい。
【００８３】
電力要求量は、（ｉ）車両２２の位置に関する情報と、（ｉｉ）車両２２のバッテリ残量に関する情報、車両２２の経路情報、地図情報、交通情報及び気象情報の少なくとも１つとに基づいて決定されてもよい。地図情報は、例えば、任意のエリアにおける、充電ステーションの位置、道路の高低差などに関する情報を含む。交通情報は、例えば、任意のエリアにおける、交通法規、交通事故、交通規制、交通渋滞及び通行止めなどに関する情報を含む。気象情報は、例えば、任意のエリアおける、天気、気温、湿度などに関する情報を含む。バッテリ残量は、消費物の使用可能量の一例であってよい。
【００８４】
一実施形態において、電力要求量は、車両２２の現在位置に関する情報と、車両２２の目的地又は最寄りの充電ステーションの位置に関する情報とに基づいて決定される。車両２２の現在位置は、車両２２に搭載されたＧＰＳ受信機の出力、又は、通信端末１２０に搭載されたＧＰＳ受信機の出力に基づいて決定されてよい。他の実施形態において、電力要求量は、需要者１２により指定された特定の位置に関する情報と、車両２２の目的地又は最寄りの充電ステーションの位置に関する情報とに基づいて決定される。さらに他の実施形態において、電力要求量は、車両２２の現在位置に関する情報と、車両２２の目的地又は最寄りの充電ステーションの位置に関する情報と、車両２２のバッテリ残量に関する情報とに基づいて決定されてもよい。
【００８５】
他の実施形態において、電力要求量は、車両２２の現在位置に関する情報と、車両２２の目的地又は最寄りの充電ステーションの位置に関する情報と、車両２２のバッテリ残量に関する情報と、車両２２の現在位置から車両２２の目的地又は最寄りの充電ステーションまでの地図情報とに基づいて決定されてもよい。さらに他の実施形態において、電力要求量は、車両２２の現在位置に関する情報と、車両２２の目的地又は最寄りの充電ステーションの位置に関する情報と、車両２２のバッテリ残量に関する情報と、車両２２の現在位置から車両２２の目的地又は最寄りの充電ステーションまでの地図情報と、車両２２の現在位置から車両２２の目的地又は最寄りの充電ステーションまでの交通情報とに基づいて決定されてもよい。
【００８６】
管理サーバ１１０は、通信端末１２０からの抽出要求を受信すると、登録されている１以上の供給者１４又は車両２４の中から、電力要求量以上の電力を供給することのできる供給者１４又は車両２４を、供給候補として抽出する。管理サーバ１１０は、車両２２の現在位置の近傍に存在する供給者１４又は車両２４の中から、供給候補を抽出してもよい。管理サーバ１１０は、例えば、車両２４及び車両２２の距離が予め定められた値よりも小さい場合、又は、車両２４及び車両２２が予め定められた時間内に合流することができる場合に、車両２４が車両２２の近傍に存在すると判断する。その後、管理サーバ１１０は、抽出結果を示す画面を生成して、通信端末１２０に送信する。
【００８７】
一実施形態において、抽出結果を示す画面には、各供給候補の識別情報に対応付けて、充電を開始してから充電を終了するまでの時間（充電時間と称する場合がある。）が提示される。充電時間は、電力要求量を、各供給候補の給電速度又は充電効率で除することにより算出される。他の実施形態において、抽出結果を示す画面には、各供給候補の識別情報に対応付けて、取引が成立してから、電力要求量に相当する電気が充電されるまでの期間（取引時間と称する場合がある。）が提示される。取引の成立時点は、マッチング時であってもよく、取引条件の決定又は確定時であってもよく、決定された取引条件の通知時であってもよい。さらに他の実施形態において、抽出結果を示す画面には、各供給候補の識別情報に対応付けて、供給される電力の単価又は価格が提示される。充電時間は、供給時間の一例であってよい。取引時間は、完了時間の一例であってよい。
【００８８】
通信端末１２０は、抽出結果を示す画面を通信端末１２０の表示部に表示して、当該画面に表示された１以上の供給候補の中から、取引相手となる供給者１４を、需要者１２に選択させる。需要者１２が、通信端末１２０を操作して取引相手となる供給者１４を選択すると、通信端末１２０は、需要者１２による選択結果を管理サーバ１１０に送信するとともに、管理サーバ１１０に対して、取引を成立させるための処理の実行を要求する。これにより、需要者１２と、供給者１４とをマッチングすることができる。
【００８９】
本実施形態によれば、電力要求量が、需要者１２の位置に基づいて決定される。そのため、バッテリを満充電するために必要な量の電力を一度に調達することが難しい場合であっても、例えば、１又は複数の供給者１４から、それぞれ少量の電力を調達することで、目的地又は最寄りの充電ステーションに到達するために必要な量の電力を調達することができる。その結果、電気自動車のドライバーは、個人の家庭、携帯型の発電機、他の電気自動車などを小規模の充電ステーションとして利用することができ、電気切れの心配が軽減される。また、本実施形態によれば、需要者１２は、充電時間、取引時間、価格などを総合的に考慮して、取引相手を選択することができる。そのため、需要者１２は、状況に応じて、最適な取引相手を選択することができる。
【００９０】
さらに、本実施形態において、管理サーバ１１０は、取引の履行を管理する。例えば、管理サーバ１１０は、マッチングにより決定された取引条件のとおりに取引が履行されているか否かを監視する。管理サーバ１１０は、通信端末１２０及び通信端末１４０を介して、車両２２及び車両２４の現在の状態に関する情報を収集し、当該情報に基づいて取引を管理してもよい。
【００９１】
例えば、管理サーバ１１０は、車両２２及び車両２４の現在位置に関する情報を収集して、両者の合流を支援する。また、管理サーバ１１０は、車両２２及び車両２４のバッテリ残量に関する情報を収集して取引量を算出し、精算処理を実行する。これにより、供給者１４は、車両２２の仕様又は性能に起因する充電ロスが発生した場合であっても、正当な対価を受け取ることができる。
【００９２】
本実施形態においては、消費物が電力又は電気であり、消費物を使用する機器が電気自動車である場合について説明した。しかしながら、消費物及び当該消費物を使用する機器は、本実施形態に限定されない。他の実施形態において、車両２２は、エンジン、発動機、燃料電池などを動力源として駆動される車両であってもよい。この場合、消費物は、軽油、ガソリン、天然ガス、プロパンガス、アルコール類、水素などのエネルギー源であってもよい。消費物は、オイル、冷却液、タイヤ、バッテリなどの消耗品であってもよい。
【００９３】
本実施形態においては、需要者１２及び供給者１４が、通信端末１２０及び通信端末１４０を利用して、管理サーバ１１０にアクセスする場合について説明した。しかしながら、取引管理システム１００は本実施形態に限定されない。他の実施形態において、車両２２が通信機能を有し、需要者１２は、車両２２を介して管理サーバ１１０にアクセスしてよい。また、車両２４が通信機能を有し、供給者１４は、車両２４を介して管理サーバ１１０にアクセスしてもよい。この場合、車両２２は、通信端末１２０の構成要素の少なくとも一部を含んでもよく、車両２４は、通信端末１４０の構成要素の少なくとも一部を含んでもよい。
【００９４】
さらに他の実施形態において、通信端末１２０又は車両２２と、通信端末１４０又は車両２４とが、ピアツーピア（Ｐ２Ｐ）で情報を送受してもよい。この場合、通信端末１２０及び通信端末１４０の少なくとも一方、又は、通信端末１２０及び通信端末１４０を含むシステムは、情報処理システムの一例であってよい。また、車両２２及び車両２４の少なくとも一方、又は、車両２２及び車両２４を含むシステムは、情報処理システムの一例であってよい。
【００９５】
図５を用いて、取引管理システム１００を利用した経路選択方法の一例を概略的に示す。例えば、車両２２のバッテリ残量が低下して、目的地２０２だけでなく、最寄りの充電ステーション２１４にすら到達することが困難になった場合に、需要者１２は、通信端末１２０を操作して、管理サーバ１１０に抽出要求を送信する。この場合において、管理サーバ１１０は、抽出条件を様々に変更しながら供給候補を抽出し、例えば、下記の（ｉ）〜（ｉｉｉ）の抽出結果を提示する。
【００９６】
（ｉ）臨時補給地点２０４で供給者Ａから電気の供給を受けた後、目的地２０２へと移動する。この場合、臨時補給地点２０４から目的地２０２までの移動に必要な電力量の充電に要する充電時間は６０分であり、費用は５００円である。
（ｉｉ）臨時補給地点２１２で供給者Ｂから電気の供給を受けた後、充電ステーション２１４へと移動する。次に、充電ステーション２１４で充電した後、目的地２０２へと移動する。この場合、臨時補給地点２１２から充電ステーション２１４までの移動に必要な電力量の充電に要する充電時間は１０分であり、費用は５００円である。また、充電ステーション２１４から目的地２０２までの移動に必要な電力量の充電に要する充電時間は５分であり、費用は３０００円である。
（ｉｉｉ）臨時補給地点２２２で供給者Ｃから電気の供給を受けた後、臨時補給地点２２４へと移動する。次に、臨時補給地点２２４で供給者Ｄから電気の供給を受けた後、目的地２０２へと移動する。この場合、臨時補給地点２２２から臨時補給地点２２４までの移動に必要な電力量の充電に要する充電時間は１０分であり、費用は５００円である。また、臨時補給地点２２４から目的地２０２までの移動に必要な電力量の充電に要する充電時間は１５分であり、費用は５００円である。
【００９７】
需要者１２は、抽出結果（ｉ）〜（ｉｉｉ）のそれぞれの場合における費用及び目的地までの所要時間を考慮して、取引相手及び経路を選択する。例えば、コスト、総走行距離、総走行時間などを重視する場合、需要者１２は、抽出結果（ｉ）を選択する。一方、目的地までの所要時間を重視する場合、需要者１２は、抽出結果（ｉｉ）を選択する。
【００９８】
図６は、車両２２のシステム構成の一例を概略的に示す。なお、車両２４も、車両２２と同様の構成を有してよい。本実施形態において、車両２２は、車両２２を駆動するモータ３０２と、モータ３０２に電力を供給するバッテリ３０４と、入力部３０６と、出力部３０８と、通信制御部３１０と、車両制御部３１２とを備える。
【００９９】
本実施形態において、入力部３０６は、情報の入力を受け付ける。入力部４０６は、例えば、ユーザからの指示を受け付ける。入力部３０６としては、キーボード、ポインティングデバイス、タッチパネル、マイク、カメラ、センサ、ＧＰＳ受信機などを例示することができる。出力部３０８は、情報を出力する。出力部３０８としては、表示装置、スピーカ、振動装置などを例示することができる。
【０１００】
本実施形態において、通信制御部３１０は、車両２２と外部機器との間の通信を制御する。通信制御部３１０は、通信インタフェースであってよい。車両制御部３１２は、車両２２の動作を制御する。車両制御部３１２は、車両２２に搭載された各種センサによる計測値を収集してよい。車両制御部３１２は、通信制御部３１０を介して、収集した情報を、管理サーバ１１０又は通信端末１２０に送信してよい。
【０１０１】
車両２２の各部は、ハードウェアにより実現されてもよく、ソフトウエアにより実現されてもよく、ハードウェア及びソフトウエアにより実現されてもよい。車両２２に含まれる構成要素の少なくとも一部がソフトウエアにより実現される場合、当該構成要素は、一般的な構成の情報処理装置において、当該構成要素に関する動作を規定したソフトウエア又はプログラムを起動することにより実現されてよい。上記の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備えてよい。
【０１０２】
上記の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。
【０１０３】
図７は、通信端末１２０のシステム構成の一例を概略的に示す。なお、通信端末１４０も、通信端末１２０と同様の構成を有してよい。本実施形態において、通信端末１２０は、要求生成部４０２と、応答生成部４０４と、入力部４０６と、出力部４０８と、通信制御部４１０と、端末制御部４１２とを備える。
【０１０４】
本実施形態において、要求生成部４０２は、外部機器に対する要求を生成する。要求生成部４０２は、生成された要求を、通信制御部４１０を介して、外部機器に送信する。応答生成部４０４は、外部機器からの要求を受信する。応答生成部４０４は、受信された要求に対する応答を生成する。応答生成部４０４は、上記の要求に応答するか否かを判定してもよい。応答生成部４０４は、生成された応答を、通信制御部４１０を介して、上記の要求の送信元に送信する。
【０１０５】
本実施形態において、入力部４０６は、情報の入力を受け付ける。入力部４０６は、例えば、ユーザからの指示を受け付ける。入力部４０６としては、キーボード、ポインティングデバイス、タッチパネル、マイク、カメラ、センサ、ＧＰＳ受信機などを例示することができる。出力部４０８は、情報を出力する。出力部４０８としては、表示装置、スピーカ、振動装置などを例示することができる。
【０１０６】
本実施形態において、通信制御部４１０は、通信端末１２０と外部機器との間の通信を制御する。通信制御部４１０は、通信インタフェースであってよい。端末制御部４１２は、通信端末１２０の動作を制御する。端末制御部４１２は、通信端末１２０に搭載された各種センサによる計測値を収集してよい。端末制御部４１２は、出力部４０８を制御して、出力部４０８に情報を出力させてよい。例えば、端末制御部４１２は、任意の表示画面のデータを出力部４０８の表示装置に送信して、当該表示画面を表示装置に表示させる。端末制御部４１２は、通信制御部４１０を介して、収集した情報を、管理サーバ１１０又は通信端末１４０に送信してよい。
【０１０７】
図８は、管理サーバ１１０のシステム構成の一例を概略的に示す。本実施形態において、管理サーバ１１０は、通信制御部５１０と、格納部５２０と、需要側情報取得部５３０と、供給側情報取得部５４０と、取引条件決定部５５０と、取引管理部５６０とを備える。格納部５２０は、例えば、需要側情報格納部５２２と、供給側情報格納部５２４とを有する。取引管理部５６０は、例えば、合流支援部５６２と、取引監視部５６４と、精算処理部５６６とを備える。供給側情報格納部５２４は、格納部の一例であってよい。需要側情報取得部５３０は、機器位置取得部及び残量取得部の一例であってよい。取引条件決定部５５０は、情報処理システムの一例であってよい。
【０１０８】
本実施形態において、通信制御部５１０は、管理サーバ１１０と外部機器との間の通信を制御する。通信制御部５１０は、通信インタフェースであってよい。格納部５２０は、各種の情報を格納する。
【０１０９】
需要側情報格納部５２２は、需要者１２又は車両２２に関する情報を格納する。需要者１２又は車両２２に関する情報としては、各需要者又は各車両の識別情報、各需要者の通信端末又は各車両のアドレス、各需要者又は各車両の現在位置、各需要者又は各車両の経路情報、各需要者の個人情報、各車両の仕様、各需要者の通信端末又は各車両に搭載された各種センサによる計測値などを例示することができる。
【０１１０】
各車両の仕様としては、車種、車両の各部の規格、電池容量、電池特性の定格値及び実績値、燃費又は電費の定格値及び実績値、充電効率などを例示することができる。各需要者の個人情報としては、電話場号、クレジットカード番号、銀行口座番号、顔写真、管理サーバ１１０が提供するサービスの利用履歴、他のユーザからの評価などを例示することができる。
【０１１１】
供給側情報格納部５２４は、供給者１４又は車両２４に関する情報を、供給候補に関する情報として格納する。供給者１４又は車両２４に関する情報としては、（ｉ）各供給者又は各車両の識別情報、各供給者の個人情報、各車両の仕様など、各供給者又は各車両の基本的な特性に関する情報、（ｉｉ）各供給者又は各車両の現在位置、各供給者又は各車両の経路情報、各供給者の通信端末又は各車両に搭載された各種センサによる計測値、需要者１２からの要求に対する応答の可否など、各供給者又は各車両の現在の状態に関する情報、（ｉｉｉ）消費物を供給可能な時間、消費物を供給可能なエリア、供給可能な消費物の量、供給可能な消費物の規格又は品質、消費物の価格、決済方法、供給可能時間又はエリアの変更の可否など、取引の基本的な条件に関する情報を例示することができる。取引の基本的な条件に関する情報は、（ｉ）取引成立後、各供給者が出発するまでに必要な準備時間、（ｉｉ）合流後、充電を開始するまでに必要な準備時間などの準備時間に関する情報を含んでもよい。
【０１１２】
消費物が電力である場合、消費物の規格又は品質としては、電圧、電圧変動幅、給電速度又は充電効率は、アダプタ形状などを例示することができる。消費物の規格又は品質は、定格値であってもよく、実績値であってもよい。給電速度又は充電効率は、供給速度の一例であってよい。各車両の仕様としては、車種、車両の各部の規格、電池特性の定格値及び実績値、燃費又は電費の定格値及び実績値などを例示することができる。各供給者の個人情報としては、電話場号、クレジットカード番号、銀行口座番号、顔写真、管理サーバ１１０が提供するサービスの利用履歴、他のユーザからの評価などを例示することができる。
【０１１３】
供給側情報格納部５２４は、車両２２のバッテリの仕様と、車両２４の給電装置の仕様との組み合わせごとに、給電速度又は充電効率の実績値を格納してもよい。給電速度又は充電効率の実績値は、例えば、取引監視部５６４又は車両制御部３１２により算出される。給電装置は供給装置の一例であってよい。
【０１１４】
バッテリの仕様としては、種類、製造者、型式、定格電圧、定格容量などを例示することができる。給電装置の仕様としては、種類、製造者、型式、給電電圧、給電方式、昇圧装置又は急速充電装置の有無、昇圧装置又は急速充電装置の能力などを例示することができる。給電装置の種類としては、蓄電装置、充電装置、発電装置などを例示することができる。給電装置は、車載型であるか、又は携帯型（携行型、持ち運び型と称される場合がある。）であるかによって、その種類が区別されてもよい。蓄電装置としては、電気自動車用バッテリ、ガソリン自動車用バッテリなどを例示することができる。発電装置としては、汎用エンジン又は発動機のような内燃機関を利用した発電機、燃料電池、自然力発電システムなどを例示することができる。
【０１１５】
本実施形態において、需要側情報取得部５３０は、車両２２又は通信端末１２０から、需要者１２又は車両２２に関する情報を取得する。需要側情報取得部５３０は、取得された情報を、需要側情報格納部５２２に格納する。供給側情報取得部５４０は、車両２４又は通信端末１４０から、供給者１４又は車両２４に関する情報を取得する。供給側情報取得部５４０は、取得された情報を、供給側情報格納部５２４に格納する。
【０１１６】
本実施形態において、取引条件決定部５５０は、需要者１２からの要求に基づいて、取引条件を決定する。取引条件としては、取引相手、取引時刻又は取引時間、取引場所、取引する消費物の規格又は品質、取引する消費物の量、取引価格などを例示することができる。取引価格は、取引する消費物の単価であってもよく、取引する消費物の単価に、取引する消費物の量を乗じた金額であってもよい。
【０１１７】
例えば、取引条件決定部５５０は、需要者１２が要求する条件と、１以上の供給者１４が提示する条件とを比較して、需要者１２の取引相手となりうる供給候補を抽出する。次に、取引条件決定部５５０は、予め定められた基準に従って、又は、需要者１２の指示に基づいて、抽出された供給候補の中から、取引相手となる供給者１４を決定する。このとき、取引条件決定部５５０は、取引時刻、取引場所、取引価格などの他の条件も決定してよい。単一の供給候補により電力要求量の全てを賄うことが困難である場合、取引条件決定部５５０は、複数の供給者１４を取引相手として選択してもよい。
【０１１８】
本実施形態において、取引管理部５６０は、需要者１２及び供給者１４の間の取引を管理する。例えば、合流支援部５６２は、需要者１２及び供給者１４の合流を支援する。例えば、取引監視部５６４は、消費物の取引状況を監視する。例えば、精算処理部５６６は、精算処理を実行する。精算処理部５６６は、取引監視部５６４の監視結果を利用して、精算処理を実行してもよい。
【０１１９】
図９は、取引条件決定部５５０の内部構成の一例を概略的に示す。本実施形態において、取引条件決定部５５０は、要求取得部６０２と、抽出条件決定部６０４と、抽出部６０６と、充電時間決定部６０８と、取引時間決定部６１０と、画面生成部６１２と、画面送信部６１４と、供給者決定部６１６とを備える。
【０１２０】
要求取得部６０２は、要求量取得部及びユーザ指示取得部の一例であってよい。抽出条件決定部６０４は、要求量取得部、機器位置取得部、残量取得部、検出部及び気温取得部の一例であってよい。抽出部６０６は、供給速度取得部の一例であってよい。充電時間決定部６０８は、供給時間決定部の一例であってよい。取引時間決定部６１０は、完了時間決定部の一例であってよい。画面生成部６１２は、選択画面生成部及び地図画面生成部の一例であってよい。画面送信部６１４は、出力制御部の一例であってよい。
【０１２１】
本実施形態において、要求取得部６０２は、消費物の取引に関する要求又は指示を取得する。上記の要求又は指示は、需要者１２が通信端末１２０又は車両２２を操作することにより、入力されてよい。要求取得部６０２は、上記の要求又は指示を解析して、当該要求又は指示を、他の適切な構成要素に転送してよい。要求取得部６０２は、上記の要求又は指示に付随する情報を、上記の適切な他の構成要素に転送してもよい。
【０１２２】
［要求の一例］
一実施形態において、要求取得部６０２は、通信端末１２０から、供給候補を抽出するための抽出要求を受信する。抽出要求は、供給を希望する時刻又は期間、位置、電力量、及び、電力の規格又は品質（例えば、給電速度又は充電効率である。）の少なくとも１つに関する情報を含んでもよい。抽出要求は、特定の時刻又は期間（特定の時間、又は、合流時間と称する場合がある。）及び特定の位置（合流エリアと称する場合がある。）において、電力要求量以上の電力を供給することができる供給候補を抽出するための要求であってもよい。特定の位置は、特定の地点であってもよく、特定の地理的範囲（エリアと称する場合がある。）であってもよい。要求取得部６０２は、上記の要求に付随して、電力要求量を算出するための情報を取得してもよい。要求取得部６０２は、例えば、上記の要求及び当該要求に付随する情報を、抽出条件決定部６０４に転送する。
【０１２３】
電力要求量は、例えば、需要者１２の位置に基づいて決定される。需要者１２の位置は、車両２２の現在位置であってもよく、通信端末１２０の現在位置であってもよく、需要者１２により指定された特定の時間における特定の位置であってもよい。電力要求量は、例えば、通信端末１２０の要求生成部４０２により決定されてよい。電力要求量は、抽出条件決定部６０４により決定されてもよい。
【０１２４】
［指示の一例］
他の実施形態において、要求取得部６０２は、通信端末１２０から、特定の供給候補が取引相手として選択されたことを示す指示を受信する。上記の指示には、取引相手として需要者１２により選択された供給候補の識別情報が含まれていてもよい。要求取得部６０２は、上記の指示を、供給者決定部６１６に送信する。
【０１２５】
本実施形態において、抽出条件決定部６０４は、要求取得部６０２から抽出要求を受け取り、当該抽出要求に応じてデータを抽出する条件（抽出条件と称する場合がある。）を決定する。抽出条件は、（ｉ）電力要求量以上の電力を供給することができる供給候補を抽出するための条件を含んでよい。抽出条件は、（ｉｉ）特定の時間に、特定の位置に存在することができる供給候補を抽出するための条件をさらに含んでもよい。
【０１２６】
［抽出条件の第１実施形態］
抽出要求において、電力要求量に関する条件、合流時間に関する条件及び合流エリアに関する条件が指定されている場合、抽出条件決定部６０４は、抽出要求において指定されたとおりに、抽出条件を決定する。その後、抽出条件決定部６０４は、決定された抽出条件を抽出部６０６に送信して、当該抽出条件に合致する供給候補に関するデータの抽出を要求する。
【０１２７】
この場合、抽出条件決定部６０４は、抽出条件に合致する供給候補に関するデータとして、当該供給候補の識別情報と、当該供給候補の給電速度又は充電効率に関する情報とを要求する。抽出条件決定部６０４は、合流して充電が開始されるまでの期間を算出するために必要な情報をさらに要求してもよい。合流して充電が開始されるまでの期間を算出するために必要な情報としては、供給者１４又は車両２４の現在位置、車両２４の仕様、準備時間などを例示することができる。
【０１２８】
［抽出条件の第２実施形態］
抽出要求において、電力要求量に関する条件が指定されていない場合、抽出条件決定部６０４は、まず、車両２２の位置に基づいて、電力要求量を決定する。電力要求量は、例えば、下記の手順により決定される。
【０１２９】
一実施形態において、抽出要求により合流エリアが指定されている場合、抽出条件決定部６０４は、まず、需要側情報格納部５２２を参照して、車両２２の現在位置に関する情報と、車両２２のバッテリ残量に関する情報とを取得する。次に、抽出条件決定部６０４は、車両２２の現在位置から合流エリアまでの距離と、車両２２の電力量消費率（電費と称される場合がある。）と、車両２２のバッテリ残量とに基づいて、車両２２が合流エリアに到達できるか否かを判定する。車両２２が合流エリアに到達できないと判定された場合、抽出条件決定部６０４は、その旨を示す情報を通信端末１２０に送信して、処理を終了する。
【０１３０】
車両２２が合流エリアに到達できると判定された場合、抽出条件決定部６０４は、（ｉ）合流エリアから、目的地、又は、最寄りの充電ステーション若しくは特定の供給者１４までの距離と、（ｉｉ）車両２２の電費とに基づいて、電力要求量を算出する。例えば、（ｉ）の距離を、（ｉｉ）の電費で除することにより、電力要求量を算出する。特定の供給者１４は、例えば、需要者１２がよく利用している供給者１４である。抽出条件決定部６０４は、車両２２の経路情報と、地図情報（地図情報は、高低差に関する情報を含むことが好ましい。）と、車両２２の周囲の気温、湿度などの気象条件に関する情報とをさらに考慮して、電力要求量を算出してもよい。
【０１３１】
他の実施形態において、抽出要求により合流エリアが指定されていない場合、抽出条件決定部６０４は、需要側情報格納部５２２を参照して、車両２２の現在位置に関する情報と、車両２２のバッテリ残量に関する情報とを取得する。次に、抽出条件決定部６０４は、車両２２のバッテリ残量に基づいて、使用可能な電力量を決定する。使用可能な電力量は、バッテリ残量から、予め定められた値を引いて算出される。予め定められた値は、需要者１２により指定された値であってもよく、車両２２の周囲の気温、湿度などの気象条件に基づいて設定された値であってもよい。例えば、車両２２の気温が設定範囲から外れるほど、予め定められた値は大きくなる。
【０１３２】
抽出条件決定部６０４は、上記の使用可能な電力量と、車両２２の電費とに基づいて、車両２２の移動可能エリアを算出する。抽出条件決定部６０４は、上記の使用可能な電力量と、車両２２の電費と、車両２２の経路情報及び地図情報（地図情報は、高低差に関する情報を含むことが好ましい。）とに基づいて、車両２２の移動可能エリアを算出してもよい。抽出条件決定部６０４は、車両２２の移動可能エリア内の任意のエリアを、合流エリアとして設定する。抽出条件決定部６０４は、車両２２の経路情報、又は、周囲に存在する１以上の供給者１４の位置を考慮して、合流エリアを設定してもよい。
【０１３３】
抽出条件決定部６０４は、（ｉ）合流エリアから、目的地、又は、最寄りの充電ステーション若しくは特定の供給者１４までの距離と、（ｉｉ）車両２２の電費とに基づいて、電力要求量を算出する。例えば、（ｉ）の距離を、（ｉｉ）の電費で除することにより、電力要求量を算出する。特定の供給者１４は、例えば、需要者１２がよく利用している供給者１４である。
【０１３４】
さらに他の実施形態において、抽出要求により合流時間が指定されていない場合、抽出条件決定部６０４は、車両２２の現在位置と、抽出要求に指定された合流エリアとの距離と、交通法規に関する情報とに基づいて、車両２２が合流エリアに到達する予定時刻を算出する。抽出条件決定部６０４は、算出された予定時刻を含む期間を、合流時間として設定する。上記の期間の長さは、予め定められた値であってもよく、需要者１２により指定された値であってもよい。
【０１３５】
電力要求量が算出されると、次に、抽出条件決定部６０４は、抽出要求により指定された合流エリア若しくは合流時間と、上記のとおり設定された合流エリア若しくは合流時間と、上記のとおり算出された電力要求量とに基づいて、抽出条件を決定する。その後、抽出条件決定部６０４は、決定された抽出条件を抽出部６０６に送信して、当該抽出条件に合致するデータの抽出を要求する。この場合、抽出条件決定部６０４は、抽出条件に合致する供給候補に関するデータとして、当該供給候補の識別情報と、当該供給候補の給電速度又は充電効率に関する情報とを要求する。抽出条件決定部６０４は、取引が成立してから充電が開始されるまでの期間を算出するために必要な情報をさらに要求してもよい。
【０１３６】
［抽出条件の第３実施形態］
本実施形態において、抽出条件決定部６０４は、車両２２のバッテリ残量に関する情報を取得し、車両２２のバッテリ残量が予め定められた値よりも小さいか否かを判定する。車両２２のバッテリ残量が予め定められた値よりも小さいと判定された場合、抽出条件決定部６０４は、（ｉ）車両２２の現在位置から、目的地、又は、最寄りの充電ステーション若しくは特定の供給者１４までの距離と、（ｉｉ）車両２２の電費とに基づいて、電力要求量を算出する。例えば、（ｉ）の距離を、（ｉｉ）の電費で除することにより、電力要求量を算出する。特定の供給者１４は、例えば、需要者１２がよく利用している供給者１４である。
【０１３７】
予め定められた値は、需要者１２により指定された値であってもよく、車両２２の周囲の気温、湿度などの気象条件に基づいて設定された値であってもよい。例えば、車両２２の気温が設定範囲から外れるほど、予め定められた値は大きくなる。また、抽出条件決定部６０４は、車両２２の経路情報と、地図情報（地図情報は、高低差に関する情報を含むことが好ましい。）と、車両２２の周囲の気温、湿度などの気象条件に関する情報とをさらに考慮して、電力要求量を算出してもよい。
【０１３８】
次に、抽出条件決定部６０４は、車両２２の現在位置を合流エリアとし、上記のとおり算出された電力要求量を供給することができる１以上の供給候補の中から、取引が成立してから充電が開始されるまでの期間が予め定められた期間よりも短い供給候補を抽出するための抽出条件を生成する。抽出条件決定部６０４は、抽出条件に合致する供給候補に関するデータとして、当該供給候補の識別情報と、取引が成立してから充電が開始されるまでの期間を算出するために必要な情報とを要求する。
【０１３９】
本実施形態において、抽出部６０６は、格納部５２０を参照して、格納部５２０に格納されている情報の中から、抽出条件決定部６０４が決定した抽出条件に合致する情報を抽出する。一実施形態において、抽出部６０６は、抽出条件決定部６０４が決定した抽出条件に合致する１以上の供給候補のそれぞれについて、当該供給候補の識別情報と、当該供給候補の給電速度又は充電効率に関する情報とを抽出する。抽出部６０６は、取引が成立してから充電が開始されるまでの期間を算出するために必要な情報をさらに抽出してもよい。抽出部６０６は、抽出された情報を、充電時間決定部６０８又は取引時間決定部６１０に送信してよい。
【０１４０】
他の実施形態において、抽出部６０６は、抽出条件決定部６０４が決定した抽出条件に合致する１以上の供給候補のそれぞれについて、当該供給候補の識別情報と、取引が成立してから充電が開始されるまでの期間を算出するために必要な情報とを抽出する。抽出部６０６は、抽出された情報を、画面生成部６１２及び供給者決定部６１６の少なくとも一方に送信してよい。
【０１４１】
本実施形態において、充電時間決定部６０８は、抽出条件決定部６０４から電力要求量に関する情報を受信する。また、充電時間決定部６０８は、抽出部６０６から、上記の抽出条件に合致する１以上の供給候補のそれぞれについて、当該供給候補の識別情報と、当該供給候補の給電速度又は充電効率に関する情報とを受信する。
【０１４２】
充電時間決定部６０８は、抽出条件決定部６０４及び抽出部６０６から受け取った情報に基づいて、供給候補が充電を開始してから、電力要求量に相当する電気が充電されるまでの期間（充電時間と称する場合がある。）を決定する。例えば、充電時間決定部６０８は、電力要求量を、給電速度又は充電効率で除することにより、電力要求量を算出する。充電時間決定部６０８は、充電時間に関する情報を、画面生成部６１２及び供給者決定部６１６の少なくとも一方に送信してよい。
【０１４３】
本実施形態において、取引時間決定部６１０は、抽出条件決定部６０４から電力要求量に関する情報を受信する。また、取引時間決定部６１０は、抽出部６０６から、上記の抽出条件に合致する１以上の供給候補のそれぞれについて、当該供給候補の識別情報と、当該供給候補の給電速度又は充電効率に関する情報と、取引が成立してから充電が開始されるまでの期間を算出するために必要な情報とを受信する。さらに、取引時間決定部６１０は、充電時間に関する情報を受け取る。
【０１４４】
取引時間決定部６１０は、抽出条件決定部６０４、抽出部６０６及び充電時間決定部６０８から受け取った情報に基づいて、取引時間を決定する。取引時間は、（ｉ）取引が成立してから充電が開始されるまでの期間、及び、（ｉｉ）充電時間決定部６０８が決定した充電時間を含む。
【０１４５】
取引時間は、（ｉ）取引が成立してからから充電が開始されるまでの期間、及び、（ｉｉ）充電時間決定部６０８が決定した充電時間、（ｉｉｉ）充電が完了してから、取引の履行を確認するための期間を含んでもよい。取引時間は、（ｉ）取引が成立してからから充電が開始されるまでの期間、及び、（ｉｉ）充電時間決定部６０８が決定した充電時間の和として算出されてよい。取引時間決定部６１０は、取引時間に関する情報を、画面生成部６１２及び供給者決定部６１６の少なくとも一方に送信してよい。
【０１４６】
本実施形態において、画面生成部６１２は、通信端末１２０の表示部に表示させる画面を生成する。画面生成部６１２は、抽出結果を表示する画面を生成してもよい。抽出結果を表示する画面は、需要者１２に対して、抽出された１以上の供給候補のなかから、１つの供給者１４又は車両２４を取引相手として選択することを催促するための画面であってもよい。抽出結果は、様々な表示形式により表示されてよい。一実施形態において、抽出結果は、リスト形式により表示される。他の実施形態において、抽出結果は、地図上に表示される。
【０１４７】
一実施形態において、上記の画面は、電力要求量に相当する電気を供給できる供給候補のそれぞれについて、各供給候補を識別する候補識別情報と、充電時間決定部６０８が決定した充電時間とが対応付けられた画面であってよい。他の実施形態において、電力要求量に相当する電気を供給できる供給候補のそれぞれについて、各供給候補を識別する候補識別情報と、取引時間決定部６１０が決定した取引時間とが対応付けられた画面であってよい。
【０１４８】
本実施形態において、画面生成部６１２は、少なくとも一部の供給候補のそれぞれの位置を示す１以上のアイコンが地図上に表示された地図画面を生成してもよい。例えば、画面生成部６１２は、抽出条件決定部６０４、抽出部６０６及び供給側情報格納部５２４と協働して、画面に表示される地図上に位置する１以上の供給候補を抽出する。
【０１４９】
また、画面生成部６１２は、供給側情報格納部５２４を参照して、抽出された供給候補のそれぞれに関する情報を取得する。例えば、画面生成部６１２は、給電速度又は充電効率、供給可能時間、供給可能エリア、供給可能量、規格、品質及び価格の少なくとも１つを示す情報を取得する。
【０１５０】
画面生成部６１２は、１以上のアイコンの形状、模様、色彩及び大きさの少なくとも１つを、対応する供給候補の給電速度又は充電効率に基づいて決定してよい。画面生成部６１２は、供給可能時間、供給可能エリア、供給可能量、規格、品質及び価格の少なくとも１つを示す情報がさらに表示された画面を生成してもよい。
【０１５１】
本実施形態において、画面送信部６１４は、画面生成部６１２が生成した画面を、車両２２又は通信端末１２０に送信する。これにより、画面生成部６１２が生成した画面を、車両２２の出力部３０８又は通信端末１２０の出力部４０８に出力させることができる。
【０１５２】
本実施形態において、供給者決定部６１６は、１以上の供給候補の中から、取引相手となる供給者１４又は車両２４を決定する。一実施形態において、供給者決定部６１６は、充電時間決定部６０８が決定した充電時間に基づいて、取引相手となる供給者１４又は車両２４を決定する。他の実施形態において、供給者決定部６１６は、取引時間決定部６１０が決定した取引時間に基づいて、取引相手となる供給者１４又は車両２４を決定する。さらに他の実施形態において、車両２２のバッテリ残量が予め定められた値よりも小さいことが検出された場合、供給者決定部６１６は、取引が成立してから充電が開始されるまでの期間に基づいて、取引相手となる供給者１４又は車両２４を決定する。
【０１５３】
供給者決定部６１６は、需要者１２からの指示に基づいて、取引相手となる供給者１４又は車両２４を決定してもよく、予め定められた条件に基づいて、取引相手となる供給者１４又は車両２４を決定してもよい。例えば、供給者決定部６１６は、要求取得部６０２が受信したユーザ指示により示される供給候補の識別情報に基づいて、取引相手となる供給者１４又は車両２４を決定する。
【０１５４】
図１０は、データテーブル７００の一例を概略的に示す。データテーブル７００は、需要者１２又は車両２２に関する情報の一例であってよい。データテーブル７００は、例えば、需要側情報格納部５２２に格納される。本実施形態において、データテーブル７００は、需要者ＩＤ７０２と、アドレス７０４と、現在位置７０６と、外気温７０８と、バッテリ残量７１０と、機器特性７１２と、個人情報７１４とを対応付けて格納する。
【０１５５】
機器特性７１２としては、車両２２の仕様、車両２２の性能の定格値、車両２２の性能の実績値などを例示することができる。車両２２の性能の実績値は、例えば、車両２２に搭載された各種センサによる計測値に基づいて決定される。データテーブル７００は、需要者１２又は車両２２に関する、他の情報を格納してもよい。
【０１５６】
図１１は、データテーブル８００の一例を概略的に示す。データテーブル８００は、車両２２又は通信端末１２０から、管理サーバ１１０に送信される要求の一例であってよい。本実施形態において、データテーブル８００は、要求ＩＤ８０２と、需要者ＩＤ８０４と、要求内容８０６とを含む。要求内容８０６としては、電力要求量に関する条件、合流時間に関する条件及び合流エリアに関する条件などを例示することができる。
【０１５７】
図１２は、データテーブル９００の一例を概略的に示す。データテーブル９００は、供給者１４又は車両２４に関する情報の一例であってよい。データテーブル９００は、例えば、供給側情報格納部５２４に格納される。本実施形態において、データテーブル９００は、供給候補ＩＤ９０２と、アドレス９０４と、現在位置９０６と、基本条件９０８と、条件交渉９１０と、応札に関するステータス９１２と、個人情報９１４とを対応付けて格納する。
【０１５８】
基本条件９０８としては、消費物を供給可能な時間、消費物を供給可能なエリア、供給可能な消費物の量、供給可能な消費物の規格又は品質、消費物の価格、決済方法などを例示することができる。条件交渉９１０は、基本条件９０８に記載された条件に関する交渉の可否を示す。応札に関するステータス９１２は、現在、入札に応じることができるか否かを示す。データテーブル９００は、供給者１４又は車両２４に関する、他の情報を格納してもよい。
【０１５９】
図１３は、取引管理システム１００による情報処理の一例を概略的に示す。本実施形態によれば、まず、ステップ１００２（ステップをＳと略記する場合がある。）において、通信端末１２０の要求生成部４０２が、抽出要求を生成する。また、要求生成部４０２は、生成された抽出要求を、管理サーバ１１０に送信する。
【０１６０】
次に、Ｓ１０１２において、管理サーバ１１０の要求取得部６０２が、抽出要求を受信する。要求取得部６０２は、抽出要求を解析して、電力需要量を示す情報の有無を判定する。抽出要求に電力需要量を示す情報が含まれている場合、要求取得部６０２は、抽出要求を抽出条件決定部６０４に送信する。抽出要求に電力需要量を示す情報が含まれていない場合、要求取得部６０２は、電力要求量を算出するための情報を収集する。その後、要求取得部６０２は、抽出要求及び電力要求量を算出するための情報を、抽出条件決定部６０４に送信する。抽出条件決定部６０４は、要求取得部６０２から受け取った情報に基づいて、電力要求量を決定する。
【０１６１】
次に、Ｓ１０１４において、抽出条件決定部６０４は、抽出要求に従って、抽出条件を生成する。抽出条件決定部６０４は、生成された抽出条件を抽出部６０６に送信する。抽出部６０６は、供給側情報格納部５２４を参照して、抽出条件に合致する１以上の供給候補を抽出する。また、抽出部６０６は、１以上の供給候補のそれぞれについて、当該供給候補の識別情報と、当該供給候補の給電速度又は充電効率に関する情報と、取引が成立してから充電が開始されるまでの期間を算出するために必要な情報とを抽出する。
【０１６２】
次に、Ｓ１０１６において、充電時間決定部６０８が、１以上の供給候補のそれぞれについて、充電時間を算出する。また、Ｓ１０１８において、取引時間決定部６１０が、１以上の供給候補のそれぞれについて、取引時間を算出する。その後、Ｓ１０２０において、画面生成部６１２が、抽出結果を表示するための画面を生成する。また、画面送信部６１４が、生成された画面を通信端末１２０に送信する。
【０１６３】
次に、Ｓ１０３２において、通信端末１２０が、画面生成部６１２により生成された画面の情報を受信する。通信端末１２０は、上記の画面を出力部３０８に表示する。Ｓ１０３２において、需要者１２は、通信端末１２０の出力部３０８に表示された画面を見て、取引相手となる供給者１４を決定する。需要者１２は、通信端末１２０を操作して、供給候補のうちの１つが、取引相手として選択されたことを示す指示を、管理サーバ１１０に送信する。
【０１６４】
次に、Ｓ１０４２において、管理サーバ１１０の要求取得部６０２が、通信端末１２０からの指示を受信して、当該指示を供給者決定部６１６に転送する。供給者決定部６１６は、需要者１２により取引相手として選択された供給候補を、取引相手として決定する。供給者決定部６１６は、その他の取引条件についても決定する。供給者決定部６１６は、取引相手として選択された供給者１４の通信端末１４０に、取引が成立したことを示す情報と、取引条件とを送信し、出動を要請する。その後、Ｓ１０５２において、管理サーバ１１０の取引管理部５６０により、取引管理処理が実行される。
【０１６５】
図１４は、取引管理システム１００による情報処理の一例を概略的に示す。本実施形態は、車両２２のバッテリ残量が予め定められた値よりも小さいことが検出された場合における情報処理の一例であってよい。
【０１６６】
本実施形態によれば、まず、Ｓ１１０２において、抽出条件決定部６０４が、車両２２のバッテリ残量が予め定められた値よりも小さいことを検出する。この場合、抽出条件決定部６０４は、（ｉ）車両２２の現在位置から、目的地、又は、最寄りの充電ステーション若しくは特定の供給者１４までの距離と、（ｉｉ）車両２２の電費とに基づいて、電力要求量を算出する。
【０１６７】
次に、Ｓ１１０４において、抽出条件決定部６０４が、車両２２の現在位置を合流エリアとし、Ｓ１１０２において算出された電力要求量を供給することができる１以上の供給候補の中から、取引が成立してから充電が開始されるまでの期間が予め定められた期間よりも短い供給候補を抽出するための抽出条件を生成する。抽出条件決定部６０４は、生成された抽出条件を抽出部６０６に送信する。抽出部６０６は、格納部５２０を参照して、格納部５２０に格納されている情報の中から、抽出条件決定部６０４が決定した抽出条件に合致する情報を抽出する。
【０１６８】
Ｓ１１０４において少なくとも１つの供給候補が抽出された場合（Ｓ１１０６のＹＥＳの場合）、図１３に関連して説明したＳ１０３２、Ｓ１０４２及びＳ１０５２と同様の処理を実行する。一方、Ｓ１１０４において供給候補が抽出されなかった場合（Ｓ１１０６のＮＯの場合）、Ｓ１１０８において、抽出部６０６が、供給時間及び供給エリアの変更交渉を考慮して、再度、抽出条件決定部６０４が決定した抽出条件に合致する情報を抽出する。
【０１６９】
Ｓ１１０８において少なくとも１つの供給候補が抽出された場合（Ｓ１１１０のＹＥＳの場合）、図１３に関連して説明したＳ１０３２、Ｓ１０４２及びＳ１０５２と同様の処理を実行する。一方、Ｓ１１０８において供給候補が抽出されなかった場合（Ｓ１１１０のＮＯの場合）、Ｓ１１１２において、取引条件決定部５５０は、車両２２の位置情報などをレスキュー業者に連絡して、救助を要請する。
【０１７０】
図１５は、画面遷移の一例を概略的に示す。図１５を用いて、ナビゲーション画面１２００と、メニュー画面１２４０と、結果表示画面１２５０との間における画面遷移の一例について説明する。本実施形態において、ナビゲーション画面１２００は、地図オブジェクト１２１０と、操作メニューオブジェクト１２１２と、自車オブジェクト１２１４と、出発地点オブジェクト１２１６と、目的地点オブジェクト１２１８とを含む。
【０１７１】
操作メニューオブジェクト１２１２は、例えば、複数のボタンオブジェクトを含む。ユーザ（例えば、需要者１２又は供給者１４である。）が、ナビゲーション画面１２００上で各ボタンオブジェクトを選択すると、各ボタンオブジェクトに関連付けられた操作が実行される。例えば、操作メニューオブジェクト１２１２に含まれるボタンオブジェクト１２３２をクリックすると、画面が遷移して、メニュー画面１２４０が表示される。
【０１７２】
メニュー画面１２４０は、例えば、複雑な抽出条件に基づいて、抽出操作を実行するための画面である。本実施形態において、メニュー画面１２４０は、複数の抽出条件を表形式で表示するためのリストオブジェクト１２４２と、抽出条件を選択するためのチェックボックスオブジェクト１２４４と、選択された抽出条件に基づいて抽出操作を実行するためのボタンオブジェクト１２４６とを含む。ユーザが、任意の抽出条件を選択した後、ボタンオブジェクト１２４６をクリックすると、画面が遷移して、結果表示画面１２５０が表示される。
【０１７３】
結果表示画面１２５０は、例えば、抽出結果を表示するための画面である。本実施形態において、結果表示画面１２５０は、抽出結果を表形式で表示するためのリストオブジェクト１２５２と、取引相手として選択する供給候補を指定するためのボタンオブジェクト１２５４とを含む。ユーザが、任意の供給候補に対応するボタンオブジェクト１２４６をクリックすると、当該供給候補が取引相手として選択されたことを示すユーザ指示が、管理サーバ１１０に送信される。
【０１７４】
図１６は、画面１３００の一例を概略的に示す。画面１３００は、表示エリア内に位置する供給候補が、地図上に配された画面の一例であってよい。画面１３００は、抽出結果を表示する画面の一実施形態であってもよい。本実施形態において、結果表示画面１３００は、地図オブジェクト１２１０と、自車オブジェクト１２１４と、出発地点オブジェクト１２１６と、目的地点オブジェクト１２１８と、操作メニューオブジェクト１３１２と、供給機器オブジェクト１３２０と、供給エリアオブジェクト１３２２と、交渉可能エリアオブジェクト１３２４と、方向指示オブジェクト１３２６と、充電ステーションオブジェクト１３３０と、詳細表示オブジェクト１３４２と、ボタンオブジェクト１３４４とを含む。
【０１７５】
本実施形態において、操作メニューオブジェクト１３１２は、１以上の供給候補のそれぞれを示すアイコンにより表示される情報の内容を切り替えるための複数のボタンオブジェクトを含む。例えば、ユーザが、「供給速度」と記載されたボタンオブジェクトのいずれかクリックすると、各供給候補のアイコンの形状、模様、色彩及び大きさの少なくとも１つが、各供給候補の「供給速度」に基づいて決定されたアイコンに変化する。「供給可能量」又は「単価」と記載されたボタンオブジェクトについても同様である。また、ユーザが、「戻る」と記載されたボタンオブジェクトをクリックすると、画面が遷移して、ナビゲーション画面１２００に戻ることができる。
【０１７６】
本実施形態において、供給機器オブジェクト１３２０は、各供給候補を示すアイコンであり、当該供給候補の現在位置を示す。供給エリアオブジェクト１３２２は、各供給候補による供給可能エリアを示す。交渉可能エリアオブジェクト１３２４は、討議供給候補が、供給可能エリアの変更交渉に応じた場合における、供給可能エリアを示す。方向指示オブジェクト１３２６は、供給候補が移動可能であり、現実に移動している場合において、当該供給候補の進行方向を示す。充電ステーションオブジェクト１３３０は、充電ステーションの位置を示すアイコンであってよい。
【０１７７】
本実施形態において、ユーザが、供給機器オブジェクト１３２０をクリックすると、詳細表示オブジェクト１３４２及びボタンオブジェクト１３４４が表示される。詳細表示オブジェクト１３４２は、クリックされた供給機器オブジェクト１３２０に対応する供給候補の詳細情報を提示する。ボタンオブジェクト１３４４は、クリックされた供給機器オブジェクト１３２０に対応する供給候補を、取引相手として選択するためのオブジェクトである。ユーザが、ボタンオブジェクト１３４４をクリックすると、対応する供給候補が取引相手として選択されたことを示すユーザ指示が、管理サーバ１１０に送信される。
【０１７８】
図１７は、取引管理システム１４００のシステム構成の一例を概略的に示す。本実施形態において、取引管理システム１４００は、通信端末１２０及び通信端末１４０を備える。取引管理システム１４００は、通信端末１２０が取引条件決定部５５０を有し、通信端末１２０及び通信端末１４０がＰ２Ｐで取引を成立させる点で、取引管理システム１００と相違する。なお、管理サーバ１１０は、通信端末１２０及び通信端末１４０の間の通信を中継するために利用されてもよい。
【０１７９】
上記の相違点以外の点に関し、取引管理システム１４００は、取引管理システム１００と同様の構成を有してもよい。技術的に矛盾しない範囲において、取引管理システム１４００又はその各部は、図１〜図３に関連して説明した情報処理装置４０、情報処理装置６０及び情報処理装置７０の少なくとも１つ又はその各部と同様の構成を有してよい。
【０１８０】
本実施形態によれば、通信端末１２０は、要求生成部４０２と、応答生成部４０４と、入力部４０６と、出力部４０８と、通信制御部４１０と、端末制御部４１２と、需要側情報格納部５２２と、取引条件決定部５５０と、取引管理部５６０とを備える。同様に、通信端末１４０は、要求生成部４０２と、応答生成部４０４と、入力部４０６と、出力部４０８と、通信制御部４１０と、端末制御部４１２と、供給側情報格納部５２４と、取引管理部５６０とを備える。
【０１８１】
図１８は、取引管理システム１４００による情報処理の一例を概略的に示す。本実施形態によれば、まず、Ｓ１５０２において、通信端末１２０の要求生成部４０２が、入札条件を決定する。入札条件は、電力要求量に関する条件を含んでよい。入札条件は、電力要求量、合流時間及び合流エリアの少なくとも１つに関する条件を含んでもよい。次に、Ｓ１５０４において、要求生成部４０２が、Ｓ１５０２において決定された入札条件を通信端末１４０に送信して、当該入札に応じるように要求する。また、応札時には、価格、給電速度又は充電効率などの情報を回答するように要求する。要求生成部４０２は、入札条件などを一斉送信により配信してもよく、一定のエリアに存在する通信端末１４０に対して一斉送信してもよい。
【０１８２】
次に、Ｓ１５１２において、通信端末１４０の応答生成部４０４が、通信端末１２０からの入札条件を解析して、通信端末１４０に対応する供給者１４又は車両２４が入札条件を満たすか否かを判定する。供給者１４又は車両２４が入札条件を満たさない場合（Ｓ１５１２のＮＯの場合）、通信端末１４０は処理を終了する。一方、供給者１４又は車両２４が入札条件を満たす場合（Ｓ１５１２のＹＥＳの場合）、Ｓ１５１４において、応答生成部４０４は、出力部４０８を利用して、応札要求を受信したことを供給者１４に通知する。その後、Ｓ１５１６において、応答生成部４０４は、供給者１４の指示に基づいて、応札処理を実行する。例えば、応答生成部４０４は、供給する電力の価格、給電速度又は充電効率などに関する情報を、通信端末１２０に送信する。
【０１８３】
次に、Ｓ１５２２において、通信端末１２０の取引条件決定部５５０は、１以上の通信端末１４０からの応札情報を受信する。取引条件決定部５５０は、図１３に関連して説明したＳ１０１６と同様の手順により、充電時間を算出する。Ｓ１５２４において、取引条件決定部５５０が、Ｓ１０１８と同様の手順により、取引時間を算出する。
【０１８４】
Ｓ１５２６において、取引条件決定部５５０が、Ｓ１０３２と同様の手順により、取引条件を決定する。取引条件決定部５５０は、取引相手として選択した供給者１４の通信端末１４０に対して、取引条件を送信して、出動を要請する。その後、Ｓ１５３２において、Ｓ１０５２と同様の手順により、通信端末１２０及び通信端末１４０の取引管理部５６０が、取引管理処理を実行する。
【０１８５】
図１９は、取引管理システム１４００による情報処理の一例を概略的に示す。本実施形態は、図１８に関連して説明したＳ１５２２及びＳ１５２４（図１９において、それぞれ、Ｓ１６２２及びＳ１６２４として表す。）が、通信端末１４０において実行される点で、図１８の情報処理と相違する。その他の点については、図１８の情報処理と同様の構成を有してよい。
【０１８６】
図２０は、取引管理システム１４００による情報処理の一例を概略的に示す。本実施形態は、通信端末１２０が通信端末１４０に対して入札条件を送信しない点で、図１８及び図１９に関連して説明した情報処理と相違する。
【０１８７】
本実施形態によれば、まず、Ｓ１７０２において、通信端末１２０の要求生成部４０２が、通信端末１４０に対して、供給側情報格納部５２４に格納されたデータテーブル９００の基本条件９０８に記載された情報の全て又は特定の情報を送信するよう要求する。Ｓ１７１２において、通信端末１４０の応答生成部４０４は、通信端末１２０からの要求に応答するか否かを決定する。例えば、応答生成部４０４は、データテーブル９００の応札に関するステータス９１２に基づいて、通信端末１２０からの要求に応答するか否かを決定する。
【０１８８】
通信端末１２０からの要求に応答しない場合（Ｓ１７１２のＮＯ）、通信端末１４０は処理を終了する。一方、通信端末１２０からの要求に応答する場合（Ｓ１７１２のＹＥＳ）、Ｓ１７１４において、応答生成部４０４が、要求された情報を通信端末１２０に送信する。
【０１８９】
その後、Ｓ１７２２、Ｓ１７２４、Ｓ１７２６、Ｓ１７２８及びＳ１７３０において、取引条件決定部５５０が、図１３に関連して説明したＳ１０１２、Ｓ１０１４、Ｓ１０１６、Ｓ１０１８及びＳ１０３２と同様の手順を実行する。また、Ｓ１７２４において、通信端末１２０及び通信端末１４０の取引管理部５６０が、取引管理処理を実行する。
【０１９０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載から明らかである。
【０１９１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１９２】
１０  通信ネットワーク、１２  需要者、１４  供給者、２２  車両、２４  車両、３０  機器、３２  消費物、４０  情報処理装置、４２  要求量取得部、４４  要求量算出部、４６  供給速度取得部、４８  格納部、５０  データテーブル、５２  供給時間決定部、５４  供給者決定部、６０  情報処理装置、６２  完了時刻決定部、７０  情報処理装置、７２  供給速度取得部、７４  格納部、７６  データテーブル、７８  画面生成部、  １００  取引管理システム、１１０  管理サーバ、１２０  通信端末、１４０  通信端末、２０２  目的地、２０４  臨時補給地点、２１２  臨時補給地点、２１４  充電ステーション、２２２  臨時補給地点、２２４  臨時補給地点、３０２  モータ、３０４  バッテリ、３０６  入力部、３０８  出力部、３１０  通信制御部、３１２  車両制御部、４０２  要求生成部、４０４  応答生成部、４０６  入力部、４０８  出力部、４１０  通信制御部、４１２  端末制御部、５１０  通信制御部、５２０  格納部、５２２  需要側情報格納部、５２４  供給側情報格納部、５３０  需要側情報取得部、５４０  供給側情報取得部、５５０  取引条件決定部、５６０  取引管理部、５６２  合流支援部、５６４  取引監視部、５６６  精算処理部、６０２  要求取得部、６０４  抽出条件決定部、６０６  抽出部、６０８  充電時間決定部、６１０  取引時間決定部、６１２  画面生成部、６１４  画面送信部、６１６  供給者決定部、７００  データテーブル、７０２  需要者ＩＤ、７０４  アドレス、７０６  現在位置、７０８  外気温、７１０  バッテリ残量、７１２  機器特性、７１４  個人情報、８００  データテーブル、８０２  要求ＩＤ、８０４  需要者ＩＤ、８０６  要求内容、９００  データテーブル、９０２  供給候補ＩＤ、９０４  アドレス、９０６  現在位置、９０８  基本条件、９１０  条件交渉、９１２  ステータス、９１４  個人情報、１２００  ナビゲーション画面、１２１０  地図オブジェクト、１２１２  操作メニューオブジェクト、１２１４  自車オブジェクト、１２１６  出発地点オブジェクト、１２１８  目的地点オブジェクト、１２３２  ボタンオブジェクト、１２４０  メニュー画面、１２４２  リストオブジェクト、１２４４  チェックボックスオブジェクト、１２４６  ボタンオブジェクト、１２５０  結果表示画面、１２５２  リストオブジェクト、１２５４  ボタンオブジェクト、１３００  画面、１３１２  操作メニューオブジェクト、１３２０  供給機器オブジェクト、１３２２  供給エリアオブジェクト、１３２４  交渉可能エリアオブジェクト、１３２６  方向指示オブジェクト、１３３０  充電ステーションオブジェクト、１３４２  詳細表示オブジェクト、１３４４  ボタンオブジェクト、１４００  取引管理システム
【図１】
2018018454.tif 000003
【図２】
2018018454.tif 000004
【図３】
2018018454.tif 000005
【図４】
2018018454.tif 000006
【図５】
2018018454.tif 000007
【図６】
2018018454.tif 000008
【図７】
2018018454.tif 000009
【図８】
2018018454.tif 000010
【図９】
2018018454.tif 000011
【図１０】
2018018454.tif 000012
【図１１】
2018018454.tif 000013
【図１２】
2018018454.tif 000014
【図１３】
2018018454.tif 000015
【図１４】
2018018454.tif 000016
【図１５】
2018018454.tif 000017
【図１６】
2018018454.tif 000018
【図１７】
2018018454.tif 000019
【図１８】
2018018454.tif 000020
【図１９】
2018018454.tif 000021
【図２０】
2018018454.tif 000022
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
消費物を使用する機器の位置に基づいて決定された、前記消費物の要求量に関する情報を取得する要求量取得部と、
前記消費物を供給可能な１以上の供給候補のそれぞれの（ｉ）前記消費物の供給可能量に関する情報及び（ｉｉ）前記消費物の供給速度に関する情報に基づいて、前記要求量の前記消費物を供給できる供給候補の前記供給速度に関する情報を取得する供給速度取得部と、
前記要求量の前記消費物を供給できる供給候補のそれぞれについて、前記要求量取得部が取得した前記要求量に関する情報、及び、前記供給速度取得部が取得した前記供給速度に関する情報に基づいて、当該供給候補が前記消費物の提供を開始してから、前記要求量の前記消費物が提供されるまでの期間である供給時間を決定する供給時間決定部と、
を備え、
前記機器は、移動体であり、
前記消費物は、前記移動体を駆動するためのエネルギー又はエネルギー源であり、
前記１以上の供給候補のそれぞれは、
（ｉ）移動体に搭載された発電装置、蓄電装置及び充電装置の少なくとも１つ、又は、
（ｉｉ）携帯型の発電装置、蓄電装置及び充電装置の少なくとも１つ、
を含む、
情報処理システム。
【請求項２】
前記供給時間決定部が決定した前記供給時間に基づいて、前記消費物の供給者又は供給装置を決定する供給者決定部をさらに備える、
請求項１に記載の情報処理システム。
【請求項３】
前記要求量の前記消費物を供給できる供給候補のそれぞれについて、各供給候補を識別する候補識別情報と、前記供給時間決定部が決定した前記供給時間とが対応付けられた選択画面を生成する選択画面生成部と、
前記選択画面生成部が生成した前記選択画面を、前記機器又は前記機器のユーザの通信端末の出力部に出力させる出力制御部と、
前記ユーザが前記供給者又は前記供給装置として選択した供給候補の候補識別情報を、前記機器又は前記機器のユーザの通信端末から取得するユーザ指示取得部と、
をさらに備え、
前記供給者決定部は、前記ユーザ指示取得部が取得した前記候補識別情報により識別される供給候補を、前記供給者又は前記供給装置として決定する、
請求項２に記載の情報処理システム。
【請求項４】
前記要求量の前記消費物を供給できる供給候補のそれぞれについて、（ｉ）取引が成立してから前記消費物の提供が開始されるまでの期間、及び、（ｉｉ）前記供給時間決定部が決定した前記供給時間に基づいて、前記取引が成立してから前記要求量の前記消費物が提供されるまでの期間である完了時間を決定する完了時間決定部と、
前記完了時間決定部が決定した前記完了時間に基づいて、前記消費物の供給者又は供給装置を決定する供給者決定部と、
をさらに備える、
請求項１に記載の情報処理システム。
【請求項５】
前記要求量の前記消費物を供給できる供給候補のそれぞれについて、各供給候補を識別する候補識別情報と、前記完了時間決定部が決定した前記完了時間とが対応付けられた選択画面を生成する選択画面生成部と、
前記選択画面生成部が生成した前記選択画面を、前記機器又は前記機器のユーザの通信端末の出力部に出力させる出力制御部と、
前記ユーザが前記供給者又は前記供給装置として選択した供給候補の候補識別情報を、前記機器又は前記機器のユーザの通信端末から取得するユーザ指示取得部と、
をさらに備え、
前記供給者決定部は、前記ユーザ指示取得部が取得した前記候補識別情報により識別される供給候補を、前記供給者又は前記供給装置として決定する、
請求項４に記載の情報処理システム。
【請求項６】
消費物を使用する機器の位置に基づいて決定された、前記消費物の要求量に関する情報を取得する要求量取得部と、
前記消費物を供給可能な１以上の供給候補のそれぞれの（ｉ）前記消費物の供給可能量に関する情報及び（ｉｉ）前記消費物の供給速度に関する情報に基づいて、前記要求量の前記消費物を供給できる供給候補の前記供給速度に関する情報を取得する供給速度取得部と、
前記要求量の前記消費物を供給できる供給候補のそれぞれについて、前記要求量取得部が取得した前記要求量に関する情報、及び、前記供給速度取得部が取得した前記供給速度に関する情報に基づいて、前記要求量の前記消費物の提供が完了する時刻である完了時刻を決定する完了時刻決定部と、
を備え、
前記機器は、移動体であり、
前記消費物は、前記移動体を駆動するためのエネルギー又はエネルギー源であり、
前記１以上の供給候補のそれぞれは、
（ｉ）移動体に搭載された発電装置、蓄電装置及び充電装置の少なくとも１つ、又は、
（ｉｉ）携帯型の発電装置、蓄電装置及び充電装置の少なくとも１つ、
を含む、
情報処理システム。
【請求項７】
前記完了時刻決定部が決定した前記完了時刻に基づいて、前記消費物の供給者又は供給装置を決定する供給者決定部をさらに備える、
請求項６に記載の情報処理システム。
【請求項８】
前記要求量の前記消費物を供給できる供給候補のそれぞれについて、各供給候補を識別する候補識別情報と、前記完了時刻決定部が決定した前記完了時刻とが対応付けられた選択画面を生成する選択画面生成部と、
前記選択画面生成部が生成した前記選択画面を、前記機器又は前記機器のユーザの通信端末の出力部に出力させる出力制御部と、
前記ユーザが前記供給者又は前記供給装置として選択した供給候補の候補識別情報を、前記機器又は前記機器のユーザの通信端末から取得するユーザ指示取得部と、
をさらに備え、
前記供給者決定部は、前記ユーザ指示取得部が取得した前記候補識別情報により識別される供給候補を、前記供給者又は前記供給装置として決定する、
請求項７に記載の情報処理システム。
【請求項９】
前記消費物の残量に関する情報を取得する残量取得部と、
前記残量取得部が取得した前記残量が予め定められた値よりも小さいことを検出する検出部と、
をさらに備え、
前記検出部が、前記残量が予め定められた値よりも小さいことを検出した場合、前記供給者決定部は、前記要求量の前記消費物を供給できる供給候補のうち、前記消費物の提供が開始されるまでの期間が予め定められた期間よりも短い供給候補の中から、前記供給者又は前記供給装置を決定する、
請求項２、３、４、５、７又は８の何れか一項に記載の情報処理システム。
【請求項１０】
前記機器の周囲の気温に関する情報を取得する気温取得部をさらに備え、
前記予め定められた値は、前記気温取得部が取得した前記気温に基づいて設定される、
請求項９に記載の情報処理システム。
【請求項１１】
前記供給者決定部は、前記消費物の前記供給者又は前記供給装置を決定することが出来なかった場合に、前記機器の位置を示す位置情報をレスキュー業者に連絡して救助を要請する、
請求項２、３、４、５、７、８、９又は１０の何れか一項に記載の情報処理システム。
【請求項１２】
前記機器の位置に基づいて、前記要求量を決定する要求量決定部をさらに備える、
請求項１から請求項１１までの何れか一項に記載の情報処理システム。
【請求項１３】
特定の時間における前記機器の位置に関する機器位置情報を取得する機器位置取得部と、
前記特定の時間における前記消費物の残量に関する情報を取得する残量取得部と、
をさらに備え、
前記要求量決定部は、
前記機器位置取得部が取得した前記機器位置情報、及び、前記残量取得部が取得した前記残量に関する情報に基づいて、前記要求量を決定する、
請求項１２に記載の情報処理システム。
【請求項１４】
前記機器は、電気自動車であり、
前記消費物は、電力である、
請求項１から請求項１３までの何れか一項に記載の情報処理システム。
【請求項１５】
前記１以上の供給候補のそれぞれの位置に関する供給位置情報に基づいて、少なくとも一部の供給候補のそれぞれの位置を示す１以上のアイコンが地図上に表示された地図画面を生成する地図画面生成部をさらに備える、
請求項１から請求項１４までの何れか一項に記載の情報処理システム。
【請求項１６】
前記地図画面生成部は、前記１以上のアイコンの形状、模様、色彩及び大きさの少なくとも１つを、対応する前記少なくとも一部の供給候補の供給速度に基づいて決定する、
請求項１５に記載の情報処理システム。
【請求項１７】
前記供給速度取得部は、前記地図画面に表示される地理的範囲の内側に存在する供給候補のうち、特定の条件を満足する供給候補について前記供給速度に関する情報を取得し、
前記特定の条件は、
当該供給候補の供給速度が予め定められた値よりも大きいという条件、
前記供給候補が前記供給速度の大きい順に並べられた場合に、当該供給候補が予め定められた順位よりも上位に位置するという条件、又は、
当該供給候補の有する供給装置の種類が予め定められた条件を満足するという条件のいずれかである、
請求項１５又は請求項１６に記載の情報処理システム。
【請求項１８】
前記供給速度取得部は、前記消費物を供給可能な１以上の供給候補のそれぞれに関する、（ｉ）前記消費物の供給可能量に関する情報、（ｉｉ）前記消費物の供給速度に関する情報、及び、（ｉｉｉ）位置を示す情報に基づいて、前記要求量の前記消費物を供給することができ、且つ、その位置が特定の条件を満たす供給候補の前記供給速度に関する情報を取得し、
前記特定の条件は、
（ａ）当該供給候補の位置と、（ｂ）（ｉ）前記機器の現在位置又は（ｉｉ）前記機器及び当該供給候補の合流エリアとの距離が、予め定められた値よりも小さいという条件、
当該供給候補の位置が、当該供給候補及び前記機器が予め定められた時刻よりも前に合流することのできる位置であるという条件、又は、
当該供給候補の位置が、当該供給候補及び前記機器が予め定められた時間内に合流することのできる位置であるという条件のいずれかである、
請求項１から請求項１６までの何れか一項に記載の情報処理システム。
【請求項１９】
前記１以上の供給候補のそれぞれは、
蓄電装置、充電装置及び発電装置の３種類のうち、少なくとも２種類を含む、
請求項１から請求項１６までの何れか一項に記載の情報処理システム。
【請求項２０】
消費物を供給可能な１以上の供給候補のそれぞれの（ｉ）位置に関する供給位置情報及び（ｉｉ）前記消費物の供給速度に関する情報に基づいて、（ａ）少なくとも一部の供給候補のそれぞれの位置を示す１以上のアイコン、及び、（ｂ）前記少なくとも一部の供給候補のそれぞれに関する、前記消費物の供給可能エリア及び供給可能量の少なくとも１つを示す情報が地図上に表示された地図画面を生成する地図画面生成部と、
前記少なくとも一部の供給候補の前記供給速度に関する情報を取得する供給速度取得部と、
を備え、
前記地図画面生成部は、前記１以上のアイコンの形状、模様、色彩及び大きさの少なくとも１つを、対応する前記少なくとも一部の供給候補の前記供給速度に関する情報に基づいて決定する、
情報処理システム。
【請求項２１】
前記地図画面生成部は、（ａ）前記少なくとも一部の供給候補のそれぞれの位置を示す１以上のアイコン、及び、（ｂ）前記少なくとも一部の供給候補のそれぞれに関する、前記消費物の供給可能エリアを示す情報が地図上に表示された地図画面を生成し、
前記１以上の供給候補のそれぞれは、（ｉ）移動体に搭載された発電装置、蓄電装置及び充電装置の少なくとも１つ、又は、（ｉｉ）携帯型の発電装置、蓄電装置及び充電装置の少なくとも１つを含む、
請求項２０に記載の情報処理システム。
【請求項２２】
コンピュータを、請求項１から請求項２１までの何れか一項に記載の情報処理システムとして機能させるためのプログラム。
【請求項２３】
コンピュータが、消費物を使用する機器の位置に基づいて決定された、前記消費物の要求量に関する情報を取得する要求量取得段階と、
前記コンピュータが、前記消費物を供給可能な１以上の供給候補のそれぞれの（ｉ）前記消費物の供給可能量に関する情報及び（ｉｉ）前記消費物の供給速度に関する情報に基づいて、前記要求量の前記消費物を供給できる供給候補の前記供給速度に関する情報を取得する供給速度取得段階と、
前記コンピュータが、前記要求量の前記消費物を供給できる供給候補のそれぞれについて、前記要求量取得段階において取得された前記要求量、及び、前記供給速度取得段階において取得された前記供給速度に関する情報に基づいて、当該供給候補が前記消費物の提供を開始してから、前記要求量の前記消費物が提供されるまでの期間である供給時間を決定する供給時間決定段階と、
を備え、
前記機器は、移動体であり、
前記消費物は、前記移動体を駆動するためのエネルギー又はエネルギー源であり、
前記１以上の供給候補のそれぞれは、
（ｉ）移動体に搭載された発電装置、蓄電装置及び充電装置の少なくとも１つ、又は、
（ｉｉ）携帯型の発電装置、蓄電装置及び充電装置の少なくとも１つ、
を含む、
情報処理方法。
【請求項２４】
前記コンピュータが、前記供給時間決定段階において決定された前記供給時間に基づいて、前記消費物の供給者又は供給装置を決定する供給者決定段階と、
前記供給者決定段階において、前記コンピュータが、前記消費物の前記供給者又は前記供給装置を決定することが出来なかった場合に、前記コンピュータが、前記機器の位置を示す位置情報をレスキュー業者に連絡して救助を要請する段階と、
をさらに有する、
請求項２３に記載の情報処理方法。
【請求項２５】
コンピュータが、消費物を使用する機器の位置に基づいて決定された、前記消費物の要求量に関する情報を取得する要求量取得段階と、
前記コンピュータが、前記消費物を供給可能な１以上の供給候補のそれぞれの（ｉ）前記消費物の供給可能量に関する情報及び（ｉｉ）前記消費物の供給速度に関する情報に基づいて、前記要求量の前記消費物を供給できる供給候補の前記供給速度に関する情報を取得する供給速度取得段階と、
前記コンピュータが、前記要求量の前記消費物を供給できる供給候補のそれぞれについて、前記要求量取得段階において取得された前記要求量、及び、前記供給速度取得段階において取得された前記供給速度に関する情報に基づいて、前記要求量の前記消費物の提供が完了する時刻である完了時刻を決定する完了時刻決定段階と、
を備え、
前記機器は、移動体であり、
前記消費物は、前記移動体を駆動するためのエネルギー又はエネルギー源であり、
前記１以上の供給候補のそれぞれは、
（ｉ）移動体に搭載された発電装置、蓄電装置及び充電装置の少なくとも１つ、又は、
（ｉｉ）携帯型の発電装置、蓄電装置及び充電装置の少なくとも１つ、
を含む、
情報処理方法。
【請求項２６】
前記コンピュータが、前記完了時刻決定段階において決定された前記完了時刻に基づいて、前記消費物の供給者又は供給装置を決定する供給者決定段階と、
前記供給者決定段階において、前記コンピュータが、前記消費物の前記供給者又は前記供給装置を決定することが出来なかった場合に、前記コンピュータが、前記機器の位置を示す位置情報をレスキュー業者に連絡して救助を要請する段階と、
をさらに有する、
請求項２５に記載の情報処理方法。
【請求項２７】
前記コンピュータが、前記１以上の供給候補のそれぞれの位置に関する供給位置情報に基づいて、少なくとも一部の供給候補のそれぞれの位置を示す１以上のアイコンが地図上に表示された地図画面を生成する地図画面生成段階をさらに備え、
前記供給速度取得段階は、前記コンピュータが、前記地図画面に表示される地理的範囲の内側に存在する供給候補のうち、特定の条件を満足する供給候補について前記供給速度に関する情報を取得する段階を有し、
前記特定の条件は、
当該供給候補の前記供給速度が予め定められた値よりも大きいという条件、
前記供給候補が前記供給速度の大きい順に並べられた場合に、当該供給候補が予め定められた順位よりも上位に位置するという条件、又は、
当該供給候補の有する供給装置の種類が予め定められた条件を満足するという条件、
のいずれかである、
請求項２３から請求項２６までの何れか一項に記載の情報処理方法。
【請求項２８】
前記供給速度取得段階は、前記コンピュータが、前記消費物を供給可能な１以上の供給候補のそれぞれに関する、（ｉ）前記消費物の供給可能量に関する情報、（ｉｉ）前記消費物の供給速度に関する情報、及び、（ｉｉｉ）位置を示す情報に基づいて、前記要求量の前記消費物を供給することができ、且つ、その位置が特定の条件を満たす供給候補の前記供給速度に関する情報を取得する段階を有し、
前記特定の条件は、
（ａ）当該供給候補の位置と、（ｂ）（ｉ）前記機器の現在位置又は（ｉｉ）前記機器及び当該供給候補の合流エリアとの距離が、予め定められた値よりも小さいという条件、
当該供給候補の位置が、当該供給候補及び前記機器が予め定められた時刻よりも前に合流することのできる位置であるという条件、又は、
当該供給候補の位置が、当該供給候補及び前記機器が予め定められた時間内に合流することのできる位置であるという条件のいずれかである、
請求項２３から請求項２６までの何れか一項に記載の情報処理方法。
【請求項２９】
前記１以上の供給候補のそれぞれは、
蓄電装置、充電装置及び発電装置の３種類のうち、少なくとも２種類を含む、
請求項２３から請求項２８までの何れか一項に記載の情報処理方法。
【請求項３０】
コンピュータが、消費物を供給可能な１以上の供給候補のそれぞれの（ｉ）位置に関する供給位置情報及び（ｉｉ）前記消費物の供給速度に関する情報に基づいて、
（ａ）少なくとも一部の供給候補のそれぞれの位置を示す１以上のアイコン、及び、（ｂ）前記少なくとも一部の供給候補のそれぞれに関する、前記消費物の供給可能エリア及び供給可能量の少なくとも１つを示す情報が地図上に表示された地図画面を生成する地図画面生成段階と、
前記コンピュータが、前記少なくとも一部の供給候補の前記供給速度に関する情報を取得する供給速度取得段階と、
を備え、
前記地図画面生成段階は、前記コンピュータが、前記１以上のアイコンの形状、模様、色彩及び大きさの少なくとも１つを、対応する前記少なくとも一部の供給候補の前記供給速度に関する情報に基づいて決定する段階を有する、
情報処理方法。
【請求項３１】
前記地図画面生成段階は、（ａ）前記少なくとも一部の供給候補のそれぞれの位置を示す１以上のアイコン、及び、（ｂ）前記少なくとも一部の供給候補のそれぞれに関する、前記消費物の供給可能エリアを示す情報が地図上に表示された地図画面を生成する段階を有し、
前記１以上の供給候補のそれぞれは、（ｉ）移動体に搭載された発電装置、蓄電装置及び充電装置の少なくとも１つ、又は、（ｉｉ）携帯型の発電装置、蓄電装置及び充電装置の少なくとも１つを含む、
請求項３０に記載の情報処理方法。